(57)【特許請求の範囲】
【請求項１】
フレキシブルディスプレイ部と、
前記フレキシブルディスプレイ部の下方に配置され、前記フレキシブルディスプレイ部と共に変形するように構成される弾性変形可能な支持部材と、
前記支持部材の下方に配置され、形状変形するように構成される加圧部材と、
前記加圧部材と電気的に接続され、前記加圧部材が形状変形するように制御し、前記加圧部材の加圧により前記支持部材を前記フレキシブルディスプレイ部と共に変形させるように構成される制御部と、を含み、
前記支持部材は、金属板と、前記金属板の一面に配置される複数のスリットと、を含むことを特徴とする携帯電子機器。
【請求項２】
前記複数のスリットは、前記金属板の一面に繰り返しパターンを形成する、請求項１に記載の携帯電子機器。
【請求項３】
前記支持部材は、第１支持部材及び第２支持部材を含み、
前記第１支持部材と前記第２支持部材とは、前記加圧部材を介して重なる、請求項１に記載の携帯電子機器。
【請求項４】
前記第１支持部材は、前記第２支持部材より剛性が低い材質を含む、請求項３に記載の携帯電子機器。
【請求項５】
前記第１支持部材は、第１プリセットパターンのスリットを含み、前記第２支持部材は、前記第１プリセットパターンとは異なる第２プリセットパターンのスリットを含む、請求項３に記載の携帯電子機器。
【請求項６】
前記加圧部材は、特定温度で元の形状に復元する形状記憶合金を含む、請求項１に記載の携帯電子機器。
【請求項７】
前記制御部は、前記加圧部材に電流を供給して前記加圧部材を第１温度から第２温度に変化させることにより、前記加圧部材の形状を平坦な形状から膨らんだ形状に変化させるように構成される、請求項６に記載の携帯電子機器。
【請求項８】
前記加圧部材は、放熱により前記第２温度から前記第１温度に変化すると、前記膨らんだ形状から前記平坦な形状に変化するように構成される、請求項７に記載の携帯電子機器。
【請求項９】
前記フレキシブルディスプレイ部の少なくとも一部が平坦な形状から膨らんだ形状に変形した状態でアクティブになり、前記膨らんだ形状の状態で前記フレキシブルディスプレイ部へのプッシュ入力を検知するように構成される検知部をさらに含む、請求項１に記載の携帯電子機器。
【請求項１０】
前記加圧部材は、前記プッシュ入力により前記膨らんだ形状から前記平坦な形状に復元するように構成される、請求項９に記載の携帯電子機器。
【請求項１１】
前記加圧部材は、加熱により曲がるように構成され、第１レイヤと、前記第１レイヤと積層される第２レイヤとを含み、
前記第２レイヤは、前記第１レイヤとは熱膨張係数が異なる材質を含む、請求項１に記載の携帯電子機器。
【請求項１２】
前記制御部が前記加圧部材を第１温度から第２温度に変化させるために前記加圧部材に電流を供給すると、前記第２レイヤが平坦な形状から膨らんだ形状に変化するように、前記第２レイヤの熱膨張係数のほうを前記第１レイヤの熱膨張係数より低くする、請求項１１に記載の携帯電子機器。
【請求項１３】
前記加圧部材の一面に配置され、前記加圧部材の内部で生成される熱を放出するように構成される放熱シートをさらに含む、請求項１に記載の携帯電子機器。
【請求項１４】
前記加圧部材は、第１加圧部材及び第２加圧部材を含み、前記支持部材は、第１支持部材及び第２支持部材を含み、
前記第１支持部材は、前記フレキシブルディスプレイ部の下方に配置され、前記第１加圧部材は、前記第１支持部材の下方に配置され、前記第２支持部材は、前記第１加圧部材の下方に配置され、前記第２加圧部材は、前記第２支持部材の下方に配置される、請求項１に記載の携帯電子機器。
【請求項１５】
前記支持部材は、第１支持部材及び第２支持部材を含み、
前記第１支持部材は、前記フレキシブルディスプレイ部の下方に配置され、前記加圧部材は、前記第１支持部材の下方に配置され、前記第２支持部材は、前記加圧部材の下方に配置される、請求項１に記載の携帯電子機器。
【請求項１６】
前記加圧部材は、第１加圧部材及び第２加圧部材を含み、前記支持部材は、第１支持部材及び第２支持部材を含み、
前記第１加圧部材は、前記フレキシブルディスプレイ部の下方に配置され、前記第１支持部材は、前記第１加圧部材の下方に配置され、前記第２加圧部材は、前記第１支持部材の下方に配置され、前記第２支持部材は、前記第２加圧部材の下方に配置される、請求項１に記載の携帯電子機器。
【請求項１７】
前記加圧部材は、第１加圧部材及び第２加圧部材を含み、前記支持部材は、第１支持部材及び第２支持部材を含み、
前記第１支持部材は、前記フレキシブルディスプレイ部の下方に配置され、前記第１加圧部材は、前記第１支持部材の下方に配置され、前記第２加圧部材は、前記第１加圧部材の下方に配置され、前記第２支持部材は、前記第２加圧部材の下方に配置される、請求項１に記載の携帯電子機器。
【請求項１８】
前記携帯電子機器の一側面に配置され、前記フレキシブルディスプレイ部の変形した形状を固定するように構成されるロックモジュールをさらに含み、
前記ロックモジュールは、
第１係止孔及び第２係止孔と前記第１係止孔及び前記第２係止孔に連通する貫通孔とを含む第１ロック部材と、
前記第１ロック部材と噛み合うように突出部を備える第２ロック部材と、を含み、
前記突出部は、前記フレキシブルディスプレイ部が平坦な状態では前記第２係止孔に挿入され、前記フレキシブルディスプレイ部が変形した状態では前記第１係止孔に挿入され、
前記第１係止孔と前記第２係止孔とが接する第１地点から前記第１係止孔と前記貫通孔とが接する第２地点までの距離は、前記第１地点から前記第２係止孔と前記貫通孔とが接する第３地点までの距離より小さい、請求項１に記載の携帯電子機器。
【請求項１９】
前記加圧部材は、前記フレキシブルディスプレイ部と平行な方向に互いに離隔して配置される複数の形状記憶合金部材を含み、
前記制御部は、前記複数の形状記憶合金部材を個別に制御するように構成される、請求項１に記載の携帯電子機器。
【発明の詳細な説明】
【技術分野】
【０００１】
本発明は、ディスプレイ部の少なくとも一部を曲げたり折り畳んだりすることのできるフレキシブルな携帯電子機器及びその制御方法に関する。
【背景技術】
【０００２】
携帯電子機器は、バッテリ及びディスプレイ部を備え、バッテリから供給される電源を用いてディスプレイ部に情報を出力する、ユーザが携帯可能なあらゆる機器を含む。携帯電子機器は、動画像を記録及び再生する装置やグラフィックユーザインタフェース（Graphic User Interface; GUI）を表示する装置などを含み、ノートパソコン、携帯電話、画面情報を表示できる眼鏡及び時計、ゲーム機などを含む。
【０００３】
このような携帯電子機器は機能が多様化している。携帯電子機器の機能としては、音声通話、データ通信、カメラを用いた写真や動画像の撮影、ディスプレイを用いた写真や動画像の表示、オーディオの録音、スピーカを用いた音楽ファイルの再生などが挙げられる。一部の携帯電子機器は、ゲームをサポートする付加機能を含んだり、マルチメディア機器（マルチメディアプレーヤ）の形で実現されたりする。近年、携帯電子機器は、ビデオやテレビ番組などのコンテンツの視聴を可能にするブロードキャスト及びマルチキャスト信号を受信するように構成されている。
【０００４】
また、一部の携帯電子機器はフレキシブルディスプレイ部を含む。
【発明の概要】
【発明が解決しようとする課題】
【０００５】
しかし、フレキシブルディスプレイ部に対応したユーザインタフェースは、制限されており、ユーザにとって不便である。
【０００６】
本発明の目的は、曲げたり折り畳んだりすることのできるフレキシブルディスプレイ部の特性を利用して新しい形態の本体を備える携帯電子機器を提供することにある。より具体的には、本発明の目的は、ディスプレイ部の特定領域が膨らんだ形状（凸状）又は凹んだ形状（凹状）に変形する本体を備える携帯電子機器を提供することにある。
【０００７】
本発明の他の目的は、曲げたり折り畳んだりすることのできるフレキシブルディスプレイ部の物理的変形を用いてユーザに情報を伝達する携帯電子機器及びその制御方法を実現することにある。
【課題を解決するための手段】
【０００８】
上記目的又はさらに他の目的を達成するために、本発明の一実施形態による携帯電子機器は、フレキシブルディスプレイ部と、前記フレキシブルディスプレイ部の下方に配置され、前記フレキシブルディスプレイ部と共に変形するように構成される弾性変形可能な支持部材と、前記支持部材の下方に配置され、形状変形するように構成される加圧部材と、前記加圧部材と電気的に接続され、前記加圧部材が形状変形するように制御し、前記加圧部材の加圧により前記支持部材を前記フレキシブルディスプレイ部と共に変形させるように構成される制御部とを含む。
【０００９】
本発明の一態様によれば、前記支持部材は、金属板と、前記金属板の一面に配置される複数のスリットとを含んでもよい。前記複数のスリットは、前記金属板の一面に繰り返しパターンを形成するようにしてもよい。
【００１０】
本発明の一態様によれば、前記支持部材は、第１支持部材及び第２支持部材の少なくとも一方を含み、前記第１支持部材と前記第２支持部材とは、前記加圧部材を介して重なるようにしてもよい。前記第１支持部材は、前記第２支持部材より剛性が低い材質を含んでもよい。前記第１支持部材は、第１プリセットパターンのスリットを含み、前記第２支持部材は、前記第１プリセットパターンとは異なる第２プリセットパターンのスリットを含んでもよい。
【００１１】
本発明の一態様によれば、前記加圧部材は、特定温度で元の形状に復元する形状記憶合金を含んでもよい。
【００１２】
本発明の一態様によれば、前記制御部は、前記加圧部材に電流を供給して前記加圧部材を第１温度から第２温度に変化させることにより、前記加圧部材の形状を平坦な形状から膨らんだ形状に変化させるように構成されてもよい。前記加圧部材は、放熱により前記第２温度から前記第１温度に変化すると、前記膨らんだ形状から前記平坦な形状に変化するように構成されてもよい。
【００１３】
本発明の一態様によれば、前記携帯電子機器は、前記フレキシブルディスプレイ部の少なくとも一部が平坦な形状から膨らんだ形状に変形した状態でアクティブになり、前記膨らんだ形状の状態で前記フレキシブルディスプレイ部へのプッシュ入力を検知するように構成される検知部をさらに含んでもよい。
【００１４】
本発明の一態様によれば、前記加圧部材は、前記プッシュ入力により前記膨らんだ形状から前記平坦な形状に復元するように構成されてもよい。
【００１５】
本発明の一態様によれば、前記加圧部材は、加熱により曲がるように構成され、第１レイヤと、前記第１レイヤと積層される第２レイヤとを含み、前記第２レイヤは、前記第１レイヤとは熱膨張係数が異なる材質を含んでもよい。前記制御部が前記加圧部材を第１温度から第２温度に変化させるために前記加圧部材に電流を供給すると、前記第２レイヤが平坦な形状から膨らんだ形状に変化するように、前記第２レイヤの熱膨張係数のほうを前記第１レイヤの熱膨張係数より低くしてもよい。
【００１６】
本発明の一態様によれば、前記携帯電子機器は、前記加圧部材の一面に配置され、前記加圧部材の内部で生成される熱を放出するように構成される放熱シートをさらに含んでもよい。
【００１７】
本発明の一態様によれば、前記加圧部材は、第１加圧部材及び第２加圧部材を含み、前記支持部材は、第１支持部材及び第２支持部材を含み、前記第１支持部材は、前記フレキシブルディスプレイ部の下方に配置され、前記第１加圧部材は、前記第１支持部材の下方に配置され、前記第２支持部材は、前記第１加圧部材の下方に配置され、前記第２加圧部材は、前記第２支持部材の下方に配置されてもよい。
【００１８】
本発明の一態様によれば、前記支持部材は、第１支持部材及び第２支持部材を含み、前記第１支持部材は、前記フレキシブルディスプレイ部の下方に配置され、前記加圧部材は、前記第１支持部材の下方に配置され、前記第２支持部材は、前記加圧部材の下方に配置されてもよい。
【００１９】
本発明の一態様によれば、前記加圧部材は、第１加圧部材及び第２加圧部材を含み、前記支持部材は、第１支持部材及び第２支持部材を含み、前記第１加圧部材は、前記フレキシブルディスプレイ部の下方に配置され、前記第１支持部材は、前記第１加圧部材の下方に配置され、前記第２加圧部材は、前記第１支持部材の下方に配置され、前記第２支持部材は、前記第２加圧部材の下方に配置されてもよい。
【００２０】
本発明の一態様によれば、前記加圧部材は、第１加圧部材及び第２加圧部材を含み、前記支持部材は、第１支持部材及び第２支持部材を含み、前記第１支持部材は、前記フレキシブルディスプレイ部の下方に配置され、前記第１加圧部材は、前記第１支持部材の下方に配置され、前記第２加圧部材は、前記第１加圧部材の下方に配置され、前記第２支持部材は、前記第２加圧部材の下方に配置されてもよい。
【００２１】
本発明の一態様によれば、前記携帯電子機器は、前記携帯電子機器の一側面に配置され、前記フレキシブルディスプレイ部の変形した形状を固定するように構成されるロックモジュールをさらに含み、前記ロックモジュールは、第１係止孔及び第２係止孔と前記第１係止孔及び前記第２係止孔に連通する貫通孔とを含む第１ロック部材と、前記第１ロック部材と噛み合うように突出部を備える第２ロック部材とを含み、前記突出部は、前記フレキシブルディスプレイ部が平坦な状態では前記第２係止孔に挿入され、前記フレキシブルディスプレイ部が変形した状態では前記第１係止孔に挿入され、前記第１係止孔と前記第２係止孔とが接する第１地点から前記第１係止孔と前記貫通孔とが接する第２地点までの距離は、前記第１地点から前記第２係止孔と前記貫通孔とが接する第３地点までの距離より小さくなるようにしてもよい。
【００２２】
本発明の一態様によれば、前記加圧部材は、前記フレキシブルディスプレイ部と平行な方向に互いに離隔して配置される複数の形状記憶合金部材を含み、前記制御部は、前記複数の形状記憶合金部材を個別に制御するように構成されてもよい。
【００２３】
本発明の適用範囲は以下の発明の詳細な説明から明らかになるであろう。しかし、以下の発明の詳細な説明及び好ましい実施形態は単に例示にすぎず、当業者であれば本発明の思想や範囲内で様々な変更及び修正が可能であることは明らかである。
【発明の効果】
【００２４】
本発明による携帯電子機器及びその制御方法の効果は次の通りである。
【００２５】
本発明の少なくとも１つの実施形態においては、加圧部材と支持部材との組み合わせにより、フレキシブルディスプレイ部の形状を制御することができる。また、支持部材により、変化した形状を維持する剛性を携帯電子機器に付与することができる。
【００２６】
また、本発明の少なくとも１つの実施形態においては、支持部材をマルチレイヤで構成することにより、携帯電子機器の変形時に柔軟性と剛性を共に付与することができる。
【００２７】
さらに、本発明の少なくとも１つの実施形態においては、携帯電子機器で発生するイベントを通知するようにフレキシブルディスプレイ部の形状を制御することにより、新しい形でユーザに利便性を提供することができる。
【００２８】
さらに、本発明の少なくとも１つの実施形態においては、ロックモジュールにより、ユーザが認知するまでフレキシブルディスプレイ部の少なくとも一部の変形した形状を固定することができる。また、形状変形した部分へのプッシュ入力を検知できるようにすることにより、新しい形のユーザ入力環境を提供することができる。
【００２９】
さらに、本発明の少なくとも１つの実施形態においては、背面カバーが柔軟な材質からなることにより、携帯電子機器の本体全体が変形する構造を実現することができる。より具体的には、前面が膨らむように変形することに連動して背面が凹むように変形することができる。
【００３０】
さらに、本発明の少なくとも１つの実施形態においては、加圧部材がフレキシブルディスプレイ部と平行な方向に互いに離隔して配置される複数の形状記憶合金部材を含むことにより、フレキシブルディスプレイ部の各領域の異なる温度制御が可能になる。これにより、フレキシブルディスプレイ部がねじれたり、不規則な形状に変形することが可能になる。
【００３１】
さらに、本発明の少なくとも１つの実施形態においては、支持部材が剛性を付与することにより、フレキシブルディスプレイ部の一部が床面に置かれて他の一部が立てられる形状が可能になる。
【図面の簡単な説明】
【００３２】
【図１】本発明の一実施形態による携帯電子機器を示すブロック図である。
【図２Ａ】本発明の一実施形態による携帯電子機器の一例を前方から見た概念図である。
【図２Ｂ】本発明の一実施形態による携帯電子機器の一例を後方から見た概念図である。
【図３Ａ】本発明の一実施形態による携帯電子機器におけるディスプレイ部が単一の平面を形成する一例を示す前方斜視図である。
【図３Ｂ】図３Ａの携帯電子機器におけるディスプレイ部の少なくとも一部が形状変形した一例を示す前方斜視図である。
【図３Ｃ】図３Ａの携帯電子機器におけるディスプレイ部の少なくとも一部が形状変形した他の例を示す前方斜視図である。
【図３Ｄ】図３Ａの携帯電子機器におけるディスプレイ部の少なくとも一部が形状変形したさらに他の例を示す前方斜視図である。
【図３Ｅ】図３Ａの携帯電子機器におけるディスプレイ部の少なくとも一部が形状変形したさらに他の例を示す前方斜視図である。
【図４】本発明の一実施形態による携帯電子機器の制御方法を示す概念図である。
【図５】本発明の一実施形態による携帯電子機器の斜視図である。
【図６】図５の携帯電子機器の分解斜視図である。
【図７Ａ】図５の携帯電子機器のＡ−Ａ線断面図である。
【図７Ｂ】図５の携帯電子機器のＢ−Ｂ線断面図である。
【図７Ｃ】図６の係止孔の拡大図である。
【図８Ａ】図６の支持部材の変形例を示す平面図である。
【図８Ｂ】図６の支持部材の変形例を示す平面図である。
【図９Ａ】図５の携帯電子機器の変形例を示す断面図である。
【図９Ｂ】図５の携帯電子機器の変形例を示す断面図である。
【図１０】本発明の他の実施形態による携帯電子機器の分解斜視図である。
【図１１】図１０の携帯電子機器のＣ−Ｃ線断面図である。
【図１２】本発明のさらに他の実施形態による携帯電子機器の分解斜視図である。
【図１３】図１２のＤ部分の拡大図である。
【図１４】本発明のさらに他の実施形態による携帯電子機器の分解図である。
【図１５】図１４の携帯電子機器の制御方法を示す概念図である。
【図１６】本発明のさらに他の実施形態による携帯電子機器の断面図である。
【図１７】図１６の携帯電子機器の様々な動作を示す概念図である。
【発明を実施するための形態】
【００３３】
以下、添付図面を参照して本発明の実施形態を詳細に説明するが、図面番号に関係なく同一又は類似の構成要素には同一の符号を付して重複する説明は省略する。以下の説明で用いられる構成要素の接尾辞である「モジュール」及び「部」は、明細書の作成を容易にするために付与又は混用されるものであり、それ自体が有意性や有用性を有するものではない。なお、添付図面は本発明の実施形態を容易に理解できるようにするためのものにすぎず、添付図面により本発明の技術的思想が制限されるものではなく、本発明は本発明の思想及び技術範囲に含まれる全ての変更、均等物乃至代替物を含むものと理解されるべきである。
【００３４】
第１、第２などのように序数を含む用語は様々な構成要素を説明するために使用されるが、構成要素は前記用語により限定されるものではない。前記用語は１つの構成要素を他の構成要素と区別する目的でのみ使用される。ある構成要素が他の構成要素に「連結」又は「接続」されていると言及された場合は、他の構成要素に直接的に連結又は接続されていることもあり、中間にさらに他の構成要素が存在することもあると理解すべきである。それに対して、ある構成要素が他の構成要素に「直接連結」又は「直接接続」されていると言及された場合は、中間にさらに他の構成要素が存在しないと理解すべきである。
【００３５】
本明細書で使用される単数の表現は、特に断らない限り、複数の表現を含む。
【００３６】
本明細書において、「含む」や「有する」などの用語は、明細書に記載された特徴、数字、段階、動作、構成要素、部品又はそれらの組み合わせが存在することを指定しようとするもので、１つ又はそれ以上の他の特徴、数字、段階、動作、構成要素、部品又はそれらの組み合わせの存在や付加可能性を予め排除するものではないと理解すべきである。
【００３７】
本明細書で説明される携帯電子機器には、携帯電話、スマートフォン、ノートパソコン、デジタル放送端末機、携帯情報端末（Personal Digital Assistants; PDA）、ポータブルマルチメディアプレーヤ（Portable Multimedia Player; PMP）、ナビゲーション、スレートＰＣ、タブレットＰＣ、ウルトラブック、ウェアラブルデバイス（例えば、ウォッチ型端末機、グラス型端末機、ヘッドマウントディスプレイ（Head Mounted Display; HMD））などが含まれる。
【００３８】
しかし、本明細書に開示される実施形態による構成は、携帯電子機器にのみ適用可能な場合を除き、デジタルテレビ、デスクトップコンピュータ、デジタルサイネージなどの固定端末機にも適用できることを、本発明の属する技術の分野における通常の知識を有する者であれば容易に理解できるであろう。
【００３９】
図１は本発明の一実施形態による携帯電子機器を示すブロック図である。
【００４０】
図１に示すように、本発明の一実施形態による携帯電子機器１００は、無線通信部１１０、入力部１２０、電磁波生成部１３０、感知部１４０、出力部１５０、インタフェース部１６０、メモリ１７０、制御部１８０、電源供給部１９０などを含む。図１に示す全ての構成要素が必須構成要素であるわけではなく、本発明による携帯電子機器は、図示の構成要素よりも多い構成要素で実現してもよく、それより少ない構成要素で実現してもよい。
【００４１】
無線通信部１１０は、携帯電子機器１００と無線通信システム間、携帯電子機器１００と他の携帯電子機器間、又は携帯電子機器１００と外部サーバ間の無線通信を可能にする少なくとも１つのモジュールを含む。また、無線通信部１１０は、携帯電子機器１００を少なくとも１つのネットワークに接続する少なくとも１つのモジュールを含む。
【００４２】
通信を容易にするために、無線通信部１１０は、放送受信モジュール１１１、移動通信モジュール１１２、無線インターネットモジュール１１３、近距離通信モジュール１１４及び位置情報モジュール１１５の少なくとも１つを含む。
【００４３】
入力部１２０は、画像信号の入力のためのカメラ１２１又は画像入力部、オーディオ信号の入力のためのマイク１２２又はオーディオ入力部、ユーザからの情報の入力のためのユーザ入力部１２３（例えば、タッチキー、プッシュキー（メカニカルキー）など）を含んでもよい。入力部１２０により得られた画像データやオーディオデータは、分析されてユーザの制御命令で処理される。
【００４４】
電磁波生成部１３０は、近距離に位置する外部機器を制御するためのトリガ信号として、直進性を有する電磁波を生成する。より具体的には、電磁波生成部１３０は、制御部１８０の制御によって特定の周波数を有する電磁波を生成する。すなわち、電磁波生成部１３０により生成される電磁波は、制御部１８０の制御によって様々な周波数を有する。一方、電磁波は、外部機器を制御するための様々なデータを含む。より具体的には、電磁波は、外部機器に関する情報を要求する要求メッセージや、セキュリティのための識別子などを含む。
【００４５】
感知部１４０は、携帯電子機器１００内の情報、携帯電子機器１００を囲む周辺環境に関する情報及びユーザ情報の少なくとも１つを感知するための少なくとも１つのセンサを含む。例えば、図１に示すように、感知部１４０は、近接センサ１４１及び照度センサ１４２を含む。
【００４６】
必要に応じて、感知部１４０は、タッチセンサ、加速度センサ、磁気センサ、重力センサ、ジャイロセンサ、モーションセンサ、ＲＧＢセンサ、赤外線センサ（ＩＲセンサ）、指紋センサ、超音波センサ、光センサ、カメラ１２１、マイク１２２、バッテリゲージ、環境センサ（例えば、気圧計、湿度計、温度計、放射能センサ、熱センサ、ガスセンサなど）、化学センサ（例えば、電子鼻、ヘルスケアセンサ、生体センサなど）の少なくとも１つを含む。また、本発明による携帯電子機器は、これらセンサの少なくとも２つのセンサにより感知された情報を組み合わせて活用することができる。
【００４７】
出力部１５０は、視覚、聴覚又は触覚などに関連する出力を発生するように構成される。例えば、出力部１５０は、ディスプレイ部１５１、音響出力部１５２、ハプティックモジュール１５３、光出力部１５４の少なくとも１つを含む。ディスプレイ部１５１は、タッチセンサとレイヤ構造をなすか又は一体に形成されることにより、タッチスクリーンを実現する。タッチスクリーンは、携帯電子機器１００とユーザ間の入力インタフェースを提供するユーザ入力部１２３として機能すると共に、携帯電子機器１００とユーザ間の出力インタフェースを提供する。
【００４８】
ディスプレイ部１５１は、携帯電子機器１００で処理される情報を表示（出力）する。例えば、ディスプレイ部１５１は、携帯電子機器１００で起動されるアプリケーションプログラムの実行画面情報、又は当該実行画面情報に応じたＵＩ（User Interface）、ＧＵＩ（Graphic User Interface）情報を表示する。
【００４９】
ディスプレイ部１５１は、液晶ディスプレイ（Liquid Crystal Display; LCD）、薄膜トランジスタ液晶ディスプレイ（Thin Film Transistor-Liquid Crystal Display; TFT-LCD）、有機発光ダイオード（Organic Light-Emitting Diode; OLED）、フレキシブルディスプレイ、ベンダブルディスプレイ（曲げられるディスプレイ）、３次元ディスプレイ、電子インクディスプレイの少なくとも１つを含む。
【００５０】
ディスプレイ部１５１は、携帯電子機器１００の実現形態に応じて２つ以上備えられてもよい。この場合、携帯電子機器１００には、複数のディスプレイ部を１つの面に離隔して又は一体に配置してもよく、異なる面にそれぞれ配置してもよい。
【００５１】
ディスプレイ部１５１は、タッチ方式で制御命令の入力を受けることができるように、ディスプレイ部１５１へのタッチを感知するタッチセンサを含んでもよい。よって、ディスプレイ部１５１へのタッチが行われると、タッチセンサは、タッチを感知し、制御部１８０は、それに基づいてタッチに対応する制御命令を発生するようにすることができる。タッチ方式で入力される内容は、文字、数字、各種モードの指示、又は指定可能なメニュー項目などである。
【００５２】
タッチセンサは、タッチパターンを備えるフィルム状に構成されてウィンドウ１５１ａとウィンドウ１５１ａの背面上のディスプレイ１５１との間に配置されてもよく、ウィンドウ１５１ａの背面に直接パターニングされるメタルワイヤで構成されてもよい。また、タッチセンサは、ディスプレイ１５１と一体に形成されてもよい。例えば、タッチセンサは、ディスプレイ１５１の基板上に配置されてもよく、ディスプレイ１５１の内部に備えられてもよい。
【００５３】
このように、ディスプレイ部１５１は、タッチセンサと共にタッチスクリーンを実現することができる。この場合、タッチスクリーンは、ユーザ入力部１２３（図１参照）として機能することができる。
【００５４】
インタフェース部１６０は、携帯電子機器１００に接続される各種外部機器との通路の役割を果たす。例えば、インタフェース部１６０は、有無線ヘッドセットポート、外部充電器ポート、有無線データポート、メモリカードポート、識別モジュールが備えられた装置を接続するポート、オーディオＩ／Ｏ（Input/Output）ポート、ビデオＩ／Ｏポート、イヤホンポートの少なくとも１つを含む。携帯電子機器１００においては、インタフェース部１６０への外部機器の接続に対応して、接続された外部機器に関する制御を行うことができる。
【００５５】
メモリ１７０は、携帯電子機器１００の様々な機能をサポートするデータを保存する。メモリ１７０は、携帯電子機器１００で起動される複数のアプリケーションプログラム（又はアプリケーション）、携帯電子機器１００の動作のためのデータやコマンドを保存する。アプリケーションプログラムの少なくとも一部は、無線通信により外部サーバからダウンロードすることができる。また、アプリケーションプログラムの少なくとも一部は、携帯電子機器１００の基本機能（例えば、電話着発信機能、メッセージ送受信機能）のために工場出荷時に携帯電子機器１００にインストールされている。さらに、アプリケーションプログラムは、メモリ１７０に保存され、携帯電子機器１００にインストールされ、制御部１８０により携帯電子機器１００の動作（又は機能）のために起動されるようにすることができる。
【００５６】
制御部１８０は、アプリケーションプログラムに関する動作に加え、通常の携帯電子機器１００の全般的な動作を制御する。制御部１８０は、前述した構成要素により入力又は出力される信号、データ、情報などを処理したり、メモリ１７０に保存されたアプリケーションプログラムを起動することにより、ユーザに適切な情報又は機能を提供又は処理することができる。例えば、制御部１８０は、メモリ１７０に保存されたアプリケーションプログラムの起動のために、図１に示す携帯電子機器１００の構成要素の少なくとも一部又は全部を制御する。
【００５７】
電源供給部１９０は、制御部１８０の制御下で、供給された外部の電源又は内部の電源を携帯電子機器１００の各構成要素に供給する。電源供給部１９０は、バッテリを含んでもよい。バッテリは、内蔵バッテリ又は交換可能なバッテリであってもよい。
【００５８】
以下、前述した携帯電子機器１００の構成要素について図１を参照してより具体的に説明する。
【００５９】
無線通信部１１０の放送受信モジュール１１１は、放送チャネルを介して、外部の放送管理サーバから放送信号及び／又は放送関連情報を受信する。放送チャネルは、衛星チャネル及び地上波チャネルを含む。少なくとも２つの放送チャネルの同時放送受信又は放送チャネルのスイッチングのために、放送受信モジュール１１１は、携帯電子機器１００に２つ以上備えられてもよい。
【００６０】
無線通信部１１０の移動通信モジュール１１２は、移動通信のための技術標準又は通信方式（例えば、ＧＳＭ（Global System for Mobile communication）、ＣＤＭＡ（Code Division Multi Access）、ＣＤＭＡ１０００（Code Division Multi Access 1000）、ＥＶ−ＤＯ（Enhanced Voice-Data Optimized or Enhanced Voice-Data Only）、ＷＣＤＭＡ（Wideband CDMA）、ＨＳＤＰＡ（High Speed Downlink Packet Access）、ＨＳＵＰＡ（High Speed Uplink Packet Access）、ＬＴＥ（Long Term Evolution）、ＬＴＥ−Ａ（Long Term Evolution-Advanced）など）により構築された移動通信網上で基地局、外部の端末、サーバの少なくとも１つと無線信号を送受信する。無線信号は、音声呼信号、テレビ電話呼信号、又はＳＭＳ／ＭＭＳメッセージの送受信による様々な形態のデータを含む。
【００６１】
無線通信部１１０の無線インターネットモジュール１１３は、無線インターネットの接続のためのモジュールであり、携帯電子機器１００に内蔵されるか又は外付けされる。無線インターネットモジュール１１３は、無線インターネット技術による通信網で無線信号を送受信するように構成される。
【００６２】
無線インターネット技術としては、例えばＷＬＡＮ（Wireless LAN）、Ｗｉ−Ｆｉ（Wireless Fidelity）、Ｗｉ−Ｆｉダイレクト（Wireless Fidelity Direct）、ＤＬＮＡ（Digital Living Network Alliance）、Ｗｉｂｒｏ（Wireless Broadband）、ＷｉＭＡＸ（Worldwide Interoperability for Microwave Access）、ＨＳＤＰＡ、ＨＳＵＰＡ、ＬＴＥ、ＬＴＥ−Ａなどがあり、無線インターネットモジュール１１３は、列挙していない無線インターネット技術をも含む範囲で少なくとも１つの無線インターネット技術によりデータを送受信する。
【００６３】
Ｗｉｂｒｏ、ＨＳＤＰＡ、ＨＳＵＰＡ、ＧＳＭ、ＣＤＭＡ、ＷＣＤＭＡ、ＬＴＥ、ＬＴＥ−Ａなどによる無線インターネット接続が移動通信網を介して行われるという観点から、移動通信網を介して無線インターネット接続を行う無線インターネットモジュール１１３は、移動通信モジュール１１２の一種として理解してもよい。
【００６４】
無線通信部１１０の近距離通信モジュール１１４は、近距離通信のためのモジュールであり、ブルートゥース（BluetoothTM）、ＲＦＩＤ（Radio Frequency Identification）、ＩｒＤＡ（Infrared Data Association）、ＵＷＢ（Ultra Wideband）、ＺｉｇＢｅｅ、ＮＦＣ（Near Field Communication）、Ｗｉ−Ｆｉ、Ｗｉ−Ｆｉダイレクト、ワイヤレスＵＳＢ（Wireless Universal Serial Bus）の少なくとも１つの技術を用いて近距離通信をサポートする。近距離通信モジュール１１４は、近距離無線通信網（近距離無線エリアネットワーク）を介して、携帯電子機器１００と無線通信システム間、携帯電子機器１００と他の携帯電子機器間、又は携帯電子機器１００と外部サーバ間の無線通信をサポートする。近距離無線通信網（近距離無線エリアネットワーク）は、近距離ワイヤレスパーソナルエリアネットワーク（Wireless Personal Area Network）であってもよい。
【００６５】
他の携帯電子機器は、本発明による携帯電子機器１００とデータ交換が可能な（又は連動可能な）ウェアラブルデバイス（例えば、ウォッチ型端末機、グラス型端末機、ヘッドマウントディスプレイ）などを含む。近距離通信モジュール１１４は、携帯電子機器１００の周辺に位置する、携帯電子機器１００と通信可能なウェアラブルデバイスを感知（又は認識）することができる。さらに、制御部１８０は、感知されたウェアラブルデバイスが携帯電子機器１００との通信を認証されたデバイスの場合、携帯電子機器１００で処理されるデータの少なくとも一部を、近距離通信モジュール１１４を介してウェアラブルデバイスに送信することができる。よって、ウェアラブルデバイスのユーザは、携帯電子機器１００で処理されるデータを、ウェアラブルデバイスで用いることができる。例えば、ユーザは、携帯電子機器１００に電話がかかってきた場合にウェアラブルデバイスで通話を行ったり、携帯電子機器１００にメッセージが受信された場合にウェアラブルデバイスで受信されたメッセージを確認したりすることができる。
【００６６】
無線通信部１１０の位置情報モジュール１１５は、携帯電子機器１００の位置（又は現在の位置）を取得するためのモジュールであり、代表的な例としては、ＧＰＳ（Global Position System）モジュールとＷｉ−Ｆｉモジュールがある。一例として、携帯電子機器１００は、ＧＰＳモジュールを用いた場合、ＧＰＳ衛星から送られる信号を用いて、携帯電子機器１００の位置を取得することができる。他の例として、携帯電子機器１００は、Ｗｉ−Ｆｉモジュールを用いた場合、Ｗｉ−Ｆｉモジュールと無線信号を送信又は受信する無線ＡＰ（Wireless Access Point）の情報に基づいて、携帯電子機器１００の位置を取得することができる。必要に応じて、位置情報モジュール１１５は、置換的又は付加的に、携帯電子機器１００の位置に関するデータを取得するために、無線通信部１１０の他のモジュールのいずれかの機能を実行することができる。位置情報モジュール１１５は、携帯電子機器１００の位置（又は現在の位置）を取得するために用いられるモジュールであり、携帯電子機器１００の位置を直接計算又は取得するモジュールに限定されるものではない。
【００６７】
入力部１２０は、画像情報（もしくは信号）、オーディオ情報（もしくは信号）、データ、又はユーザからの情報の入力のためのものであり、画像情報の入力のために１つ又は複数のカメラ１２１を含む。入力部１２０のカメラ１２１は、撮影モード又はテレビ電話モードでイメージセンサにより得られる静止画像又は動画像などの画像フレームを処理する。カメラ１２１で処理された画像フレームは、ディスプレイ部１５１に表示したり、メモリ１７０に保存することができる。携帯電子機器１００に備えられる複数のカメラ１２１は、マトリクス構造に配置されてもよく、この場合、マトリクス構造に配置された複数のカメラ１２１により、携帯電子機器１００に様々な角度又は焦点の複数の画像情報を入力することができる。また、複数のカメラ１２１は、立体画像を実現するための左画像及び右画像を取得できるように、ステレオ構造に配置されてもよい。
【００６８】
入力部１２０のマイク１２２は、外部の音響信号を電気的な音声データに処理する。マイク１２２で処理された音声データは、携帯電子機器１００で実行中の機能（又はアプリケーションプログラム）によって多様に活用することができる。マイク１２２には、外部の音響信号が入力される過程で発生するノイズを除去するための様々なノイズ除去アルゴリズムが実現される。
【００６９】
入力部１２０のユーザ入力部１２３は、ユーザからの情報の入力のためのものであり、ユーザ入力部１２３により情報が入力されると、制御部１８０は、入力された情報に対応して携帯電子機器１００の動作を制御することができる。ユーザ入力部１２３は、機械式入力手段（又はメカニカルキー、例えば携帯電子機器１００の前面、背面又は側面に位置するボタン、ドームスイッチ、ジョグホイール、ジョグスイッチなど）及びタッチ式入力手段を含んでもよい。例えば、タッチ式入力手段は、ソフトウェア的な処理によりタッチスクリーンに表示される仮想キー、ソフトキー又はビジュアルキーからなるようにしてもよく、タッチスクリーン以外の部分に配置されるタッチキーからなるようにしてもよい。また、仮想キー又はビジュアルキーは、様々な形態でタッチスクリーン上に表示されるようにしてもよく、例えばグラフィック、テキスト、アイコン、ビデオ又はそれらの組み合わせからなる。
【００７０】
感知部１４０は、携帯電子機器１００内の情報、携帯電子機器１００を囲む周辺環境に関する情報及びユーザ情報の少なくとも１つを感知し、それに対応する感知信号を発生する。制御部１８０は、感知信号に基づいて、携帯電子機器１００の駆動又は動作を制御したり、携帯電子機器１００にインストールされたアプリケーションプログラムに関するデータ処理、機能又は動作を実行することができる。感知部１４０に含まれる様々なセンサのうち代表的なセンサについてより具体的に説明すると次の通りである。
【００７１】
まず、近接センサ１４１とは、電磁界の力又は赤外線などを利用して、所定の検出面に近づく物体又は近傍に存在する物体の有無を機械的な接触なしに検出するセンサをいう。近接センサ１４１は、タッチスクリーンにより覆われる携帯電子機器１００の内部領域又はタッチスクリーンの近くに配置されてもよい。
【００７２】
近接センサ１４１としては、透過型光電センサ、拡散反射型光電センサ、回帰反射型光電センサ、高周波発振型近接センサ、静電容量型近接センサ、磁気近接センサ、赤外線近接センサなどがある。静電式タッチスクリーンの場合、近接センサ１４１は、導電性を有する物体の近接による電界の変化から当該物体の近接を検出するように構成されてもよい。この場合、タッチスクリーン（又はタッチセンサ）自体が近接センサにも分類される。
【００７３】
以下、説明の便宜上、物体をタッチスクリーン上に接触させるのではなく近接させて物体がタッチスクリーン上に位置することを認識させることを「近接タッチ（proximity touch）」といい、物体をタッチスクリーン上に実際に接触させることを「接触タッチ（contact touch）」という。物体により近接タッチされるタッチスクリーン上の位置とは、物体が近接タッチされる際に物体がタッチスクリーンに対して垂直に対応する位置を意味する。
【００７４】
近接センサ１４１は、近接タッチ動作及び近接タッチパターン（例えば、近接タッチ距離、近接タッチ方向、近接タッチ速度、近接タッチ時間、近接タッチ位置、近接タッチ移動状態など）を感知することができる。一方、制御部１８０は、近接センサ１４１により感知された近接タッチ動作及び近接タッチパターンに対応するデータ（又は情報）を処理し、また、処理されたデータに対応する視覚的な情報をタッチスクリーン上に出力させることができる。さらに、制御部１８０は、タッチスクリーン上の同一地点へのタッチが近接タッチであるか、接触タッチであるかによって、異なる動作又はデータ（もしくは情報）が処理されるように携帯電子機器１００を制御することができる。
【００７５】
次に、タッチセンサは、抵抗膜式、静電容量式、赤外線式、超音波式、磁気式などの様々なタッチ方式のうち少なくとも１つを用いて、タッチスクリーン（又はディスプレイ部１５１）へのタッチ（又はタッチ入力）を感知する。
【００７６】
一例として、タッチセンサは、タッチスクリーンの特定部位に加わった圧力又はタッチスクリーンの特定部位に発生する静電容量などの変化を電気的な入力信号に変換するように構成されてもよい。タッチセンサは、タッチスクリーンをタッチするタッチ手段により当該タッチセンサ上でタッチされる位置、面積、タッチ時の圧力、タッチ時の静電容量などを検出できるように構成されてもよい。ここで、タッチ手段とは、タッチセンサをタッチする物体をいい、例えば指、タッチペン又はスタイラスペン、ポインタなどがある。
【００７７】
タッチセンサへのタッチ入力がある場合、それに対応する信号がタッチ制御装置に送られる。タッチ制御装置は、その信号を処理して対応するデータを制御部１８０に送る。これにより、制御部１８０は、ディスプレイ部１５１のどの領域がタッチされたかなどを把握することができる。ここで、タッチ制御装置は、制御部１８０とは別の構成要素であってもよく、制御部１８０自体であってもよい。
【００７８】
また、制御部１８０は、タッチスクリーン（又はタッチスクリーン以外の部分に配置されるタッチキー）をタッチするタッチ手段の種類によって異なる制御を行うこともでき、同じ制御を行うこともできる。タッチ手段の種類によって異なる制御を行うか、同じ制御を行うかは、携帯電子機器１００の現在の動作状態又は実行中のアプリケーションプログラムによって決定されるようにしてもよい。
【００７９】
一方、タッチセンサは、ディスプレイ部１５１のアクティブ状態及び非アクティブ状態で異なる方式を用いてタッチ入力を感知するように構成されてもよい。ここで、前記異なる方式は、タッチセンサのアクティブ周期に関連する方式であってもよい。より具体的には、タッチセンサは、ディスプレイ部１５１がアクティブ状態であるか非アクティブ状態であるかによって、異なる周期でアクティブになるようにしてもよい。すなわち、タッチセンサは、ディスプレイ部１５１がアクティブ状態であるか非アクティブ状態であるかによって異なるアクティブ周期を有し、そのアクティブ周期に応じて当該タッチセンサへのタッチ入力を感知するようにしてもよい。
【００８０】
例えば、タッチセンサは、ディスプレイ部１５１の非アクティブ状態では、予め設定された特定周期でアクティブになるようにしてもよい。この場合、特定周期は、０より大きい時間に対応する周期であってもよい。また、タッチセンサは、ディスプレイ部１５１のアクティブ状態では、常にアクティブ状態で動作するようにしてもよい。この場合、タッチセンサのアクティブ周期は、０又は０に非常に近い時間に対応する周期であってもよい。
【００８１】
タッチセンサがアクティブ状態であるか非アクティブ状態であるかは、タッチセンサの電力消費量に基づいて区分することができる。例えば、タッチセンサの電力消費量が０を基準とする予め設定された値以下であれば、タッチセンサが非アクティブ状態にあるといい、タッチセンサの電力消費量が０を基準とする予め設定された値を超えれば、タッチセンサがアクティブ状態にあるという。
【００８２】
ディスプレイ部１５１がアクティブ状態にある場合（アクティブモード）、タッチセンサは、アクティブ状態を維持し続け、ディスプレイ部１５１へのタッチ入力を待機する。それに対して、ディスプレイ部１５１が非アクティブ状態にある場合（ドーズモード）、タッチセンサは、予め設定された特定周期毎にアクティブになる。
【００８３】
一方、タッチセンサがアクティブになる特定周期が短くなるほど、ディスプレイ部１５１へのタッチ入力を感知する速度は速くなるが、それによりタッチセンサの消費電力が大きくなる。それに対して、タッチセンサがアクティブになる特定周期が長くなるほど、タッチセンサの消費電力は小さくなるが、ディスプレイ部１５１へのタッチ入力を感知する速度が遅くなる。
【００８４】
よって、特定周期は、ディスプレイ部１５１へのタッチ入力を感知する上で感知速度がユーザに認識されないほど速く、かつ電力消費効率が高くなるように設定される。例えば、特定周期は、タッチセンサが非アクティブ状態で１秒に約２０回（１Ｈｚ）アクティブになるように設定されてもよい。
【００８５】
一方、ディスプレイ部１５１がアクティブ状態にある間は、タッチセンサも共にアクティブになり、アクティブ状態で、タッチセンサのアクティブ周期Ｔは０又は０に非常に近くなるようにしてもよい。あるいは、タッチセンサがアクティブになった状態で、タッチセンサの周期は、ディスプレイ部１５１の非アクティブ状態でタッチセンサがアクティブになるように設定された特定周期より数倍短くなるようにしてもよい。つまり、タッチセンサは、ディスプレイ部１５１がアクティブ状態であるか非アクティブ状態であるかによって、異なる周期でアクティブになるようにしてもよい。
【００８６】
また、ディスプレイ部１５１が非アクティブ状態であり、タッチセンサが周期的にアクティブになるドーズモードの場合、タッチセンサによりタッチ入力（例えば、所定の領域を基準時間以内に連続して叩く第１及び第２タッチ入力）が感知されると、制御部１８０は、ドーズモードを、ディスプレイ部１５１及びタッチセンサがアクティブになるアクティブモードに切り替えることができる。
【００８７】
さらに、タッチセンサは、ディスプレイ部１５１の状態に基づいて異なる周期で駆動するようにしてもよい。例えば、ディスプレイ部１５１が閉状態にある場合は、ドーズモードを実行し、ディスプレイ部１５１が閉状態から開状態に切り替えられると、アクティブモードを実行するようにしてもよい。
【００８８】
一方、タッチセンサ及び近接センサ１４１は、独立して又は組み合わせて、タッチスクリーンへのショートタッチ（又はタッチ入力）、ロングタッチ、マルチタッチ、ドラッグ、フリック、ピンチイン、ピンチアウト、スワイプ、ホバーなどの様々な方式のタッチを感知することができる。
【００８９】
次に、超音波センサは、超音波を用いて、感知対象の位置情報を認識することができる。制御部１８０は、光センサと複数の超音波センサから感知される情報に基づいて、波動発生源の位置を算出することができる。波動発生源の位置は、光のほうが超音波より非常に速いこと、すなわち光が光センサに到達する時間のほうが超音波が超音波センサに到達する時間より非常に速いことを利用して算出することができる。より具体的には、波動発生源の位置は、光を基準信号として超音波が到達する時間との時間差を利用して算出することができる。
【００９０】
一方、入力部１２０のカメラ１２１は、カメラセンサ（例えば、ＣＣＤ、ＣＭＯＳなど）、フォトセンサ（又はイメージセンサ）及びレーザセンサの少なくとも１つを含む。カメラセンサとレーザセンサとを組み合わせ、３次元立体画像への感知対象のタッチを感知するようにしてもよい。フォトセンサは、タッチスクリーンに近接する感知対象の動きをスキャンするように構成され、ディスプレイ素子に積層されてもよい。より具体的には、フォトセンサは、フォトダイオードとトランジスタ（ＴＲ）を行列状に実装し、フォトダイオードに入る光の量に応じて変化する電気的信号を用いて、フォトセンサ上に載置されるものをスキャンする。すなわち、フォトセンサは、光の変化量に応じた感知対象の座標を計算し、それに基づいて感知対象の位置情報を取得する。
【００９１】
カメラ１２１は、携帯電子機器１００の本体の前面に備えられる前面カメラ１２１ａと携帯電子機器１００の本体の背面に備えられる背面カメラ１２１ｂの少なくとも一方を含む。
【００９２】
前面カメラ１２１ａは、撮影モード又はテレビ電話モードでイメージセンサにより得られる静止画像又は動画像などの画像フレームを処理する。処理された画像フレームは、ディスプレイ部１５１に表示したり、メモリ１７０に保存することができる。
【００９３】
背面カメラ１２１ｂは、少なくとも１つのラインに沿って配列される複数のレンズを含んでもよい。複数のレンズは、マトリクス状に配列されてもよい。このようなカメラを「アレイカメラ」ともいう。背面カメラ１２１ｂがアレイカメラで構成された場合、複数のレンズを用いて様々な方式で画像を撮影することができ、よりよい品質の画像を取得することができる。
【００９４】
フラッシュ（図示せず）は、背面カメラ１２１ｂに隣接して配置され、背面カメラ１２１ｂで被写体を撮影する場合に被写体に向けて光を照射する。
【００９５】
電磁波生成部１３０は、背面カメラ１２１ｂに隣接して配置され、背面カメラ１２１ｂがアクティブになると生成された電磁波を放射する。
【００９６】
出力部１５０のディスプレイ部１５１は、携帯電子機器１００で処理される情報を表示（出力）する。例えば、ディスプレイ部１５１は、携帯電子機器１００で起動されるアプリケーションプログラムの実行画面情報、又は当該実行画面情報に応じたＵＩ、ＧＵＩ情報を表示する。
【００９７】
また、ディスプレイ部１５１は、立体画像を表示する立体ディスプレイ部として構成されてもよい。
【００９８】
立体ディスプレイ部には、ステレオスコピック方式（眼鏡方式）、オートステレオスコピック方式（裸眼方式）、プロジェクション方式（ホログラフィック方式）などの３次元ディスプレイ方式が適用される。
【００９９】
出力部１５０の音響出力部１５２は、呼受信モード、通話モード、録音モード、音声認識モード又は放送受信モードなどで、無線通信部１１０から受信するか又はメモリ１７０に保存されたオーディオデータを出力する。音響出力部１５２は、携帯電子機器１００で実行される機能（例えば、呼信号受信音、メッセージ受信音など）に関連する音響信号も出力する。このような音響出力部１５２は、レシーバ、スピーカ、ブザーなどを含む。
【０１００】
音響出力部１５２は、第１音響出力部１５２ａと第２音響出力部１５２ｂの少なくとも一方を含む。第１音響出力部１５２ａは、通話音をユーザの耳に伝えるレシーバで実現し、第２音響出力部１５２ｂは、各種アラーム音やマルチメディアの再生音を出力するラウドスピーカの形態で実現してもよい。
【０１０１】
出力部１５０のハプティックモジュール１５３は、ユーザが感じることのできる様々な触覚効果を発生する。ハプティックモジュール１５３が発生する触覚効果の代表的な例としては振動がある。ハプティックモジュール１５３が発生する振動の強度やパターンなどは、ユーザの選択又は制御部１８０の設定により制御することができる。例えば、ハプティックモジュール１５３は、異なる振動を合成して出力することもでき、順次出力することもできる。
【０１０２】
ハプティックモジュール１５３は、振動の他にも、皮膚接触面に対して垂直運動するピン配列、噴射口又は吸入口を用いた空気の噴射力又は吸入力、皮膚表面に対する擦れ、電極の接触、静電気力などの刺激による効果や、吸熱又は発熱が可能な素子を用いた冷温感の再現による効果など、様々な触覚効果を発生することができる。
【０１０３】
ハプティックモジュール１５３は、直接的な接触により触覚効果を伝えることができるだけでなく、ユーザが指や腕などの筋感覚により触覚効果を感じるように実現することもできる。ハプティックモジュール１５３は、携帯電子機器１００の構成態様に応じて２つ以上備えてもよい。
【０１０４】
出力部１５０の光出力部１５４は、携帯電子機器１００の光源の光を用いてイベント発生を通知するための信号を出力する。携帯電子機器１００で発生するイベントとしては、ユーザ認証の成功／失敗、呼信号受信、メッセージ受信、不在着信、アラーム、スケジュール通知、電子メール受信、アプリケーションによる情報受信などがある。制御部１８０は、ユーザのイベント確認が感知されると、光出力部１５４が光の出力を終了するように制御することができる。
【０１０５】
光出力部１５４により出力される信号は、携帯電子機器１００が前面又は背面から単色又は複数色の光を発光することにより実現される。信号の出力は、携帯電子機器１００がユーザのイベント確認を感知することにより終了するようにしてもよい。
【０１０６】
インタフェース部１６０は、携帯電子機器１００に接続される全ての外部機器との通路の役割を果たす。インタフェース部１６０は、外部機器からデータを受信するか、供給された電源を携帯電子機器１００内部の各構成要素に送るか、又は携帯電子機器１００内部のデータを外部機器に送信する。例えば、インタフェース部１６０は、有無線ヘッドセットポート、外部充電器ポート、有無線データポート、メモリカードポート、識別モジュールが備えられた装置を接続するポート、オーディオＩ／Ｏポート、ビデオＩ／Ｏポート、イヤホンポートなどを含む。
【０１０７】
識別モジュールは、携帯電子機器１００の使用権限を認証するための各種情報を保存したチップであり、ユーザ識別モジュール（User Identity Module; UIM）、加入者識別モジュール（Subscriber Identity Module; SIM）、汎用加入者識別モジュール（Universal Subscriber Identity Module; USIM）などを含む。識別モジュールが備えられた装置（以下、識別装置という）は、スマートカード形式で製造されてもよい。よって、識別装置は、インタフェース部１６０を介して携帯電子機器１００に接続することができる。
【０１０８】
また、インタフェース部１６０は、携帯電子機器１００が外部のクレードルに接続された場合、クレードルからの電源が携帯電子機器１００に供給される通路となり、ユーザによりクレードルから入力される各種命令信号が携帯電子機器１００に伝達される通路となる。クレードルから入力される各種命令信号又は電源は、携帯電子機器１００がクレードルに正しく取り付けられたことを認知するための信号としても機能する。
【０１０９】
メモリ１７０は、制御部１８０の動作のためのプログラムを保存することもでき、入出力されるデータ（例えば、電話帳、メッセージ、静止画像、動画像など）を一時保存することもできる。メモリ１７０は、タッチスクリーンへのタッチ入力時に出力される様々なパターンの振動及び音響に関するデータを保存することもできる。
【０１１０】
メモリ１７０は、フラッシュメモリタイプ、ハードディスクタイプ、ＳＳＤ（Solid State Drive）タイプ、ＳＤＤ（Silicon Disk Drive）タイプ、マルチメディアカードマイクロタイプ、カードタイプのメモリ（例えば、ＳＤ又はＸＤメモリなど）、ＲＡＭ（Random Access Memory）、ＳＲＡＭ（Static Random Access Memory）、ＲＯＭ（Read-Only Memory）、ＥＥＰＲＯＭ（Electrically Erasable Programmable Read-Only Memory）、ＰＲＯＭ（Programmable Read-Only Memory）、磁気メモリ、磁気ディスク及び光ディスクの少なくとも１つのタイプの記憶媒体を含む。携帯電子機器１００は、インターネット上でメモリ１７０の保存機能を実行するウェブストレージに関連して動作することもできる。
【０１１１】
一方、制御部１８０は、前述したように、アプリケーションプログラムに関する動作と、通常の携帯電子機器１００の全般的な動作を制御する。例えば、制御部１８０は、携帯電子機器１００の状態が設定条件を満たす場合、アプリケーションに対するユーザの制御命令の入力を制限するロック状態を実行又は解除することができる。
【０１１２】
また、制御部１８０は、音声通話、データ通信、テレビ電話などに関連する制御及び処理を行うこともでき、タッチスクリーン上で行われる手書き入力及び手描き入力をそれぞれ文字及び画像として認識するパターン認識処理を行うこともできる。さらに、制御部１８０は、後述する様々な実施形態を本発明による携帯電子機器１００において実現するために、前述した携帯電子機器１００の構成要素のいずれか又は複数を組み合わせて制御することができる。
【０１１３】
電源供給部１９０は、制御部１８０の制御下で、供給された外部の電源又は内部の電源を携帯電子機器１００の各構成要素に必要に応じて供給する。電源供給部１９０は、バッテリを含んでもよい。バッテリは、充電可能な内蔵バッテリであってもよく、充電などのために携帯電子機器１００の本体に脱着可能に結合されるものであってもよい。
【０１１４】
電源供給部１９０は、接続ポートをさらに含んでもよい。接続ポートは、バッテリの充電のために電源を供給する外部充電器が電気的に接続されるインタフェース１６０の一例として構成されてもよい。他の例として、電源供給部１９０は、接続ポートを用いるのではなく、無線方式でバッテリを充電するように構成されてもよい。この場合、電源供給部１９０は、外部の無線電力送信装置から、電磁誘導現象に基づく電磁誘導方式又は電磁界共鳴現象に基づく電磁界共鳴方式の少なくとも１つを用いて電力を受信する。
【０１１５】
携帯電子機器１００は、外観を保護したり、携帯電子機器１００の機能を補助又は拡張するためのアクセサリーを含んでもよい。アクセサリーの一例としては、携帯電子機器１００の少なくとも一面を覆蓋又は収容するカバー又はパウチが挙げられる。カバー又はパウチは、ディスプレイ部１５１と連動して携帯電子機器１００の機能を拡張するように構成されてもよい。アクセサリーの他の例としては、タッチスクリーンへのタッチ入力を補助又は拡張するためのタッチペンが挙げられる。
【０１１６】
以下に説明する様々な実施形態は、例えばソフトウェア、ハードウェア又はそれらの組み合わせにより、コンピュータ又はそれと類似の装置で読み取りが可能な記録媒体内で実現することができる。
【０１１７】
図２Ａ及び図２Ｂは本発明の一実施形態による携帯電子機器の一例を異なる方向から見た概念図である。
【０１１８】
図２Ａ及び図２Ｂを参照すると、本発明の一実施形態による携帯電子機器１００は、ストレート型本体を備えている。ただし、これに限定されるものではなく、携帯電子機器１００は、例えばウォッチ型、クリップ型、グラス型、２つ以上の本体が相対移動可能に結合される折り畳み型、フリップ型、スライド型、スイング型、２軸回転型又はそれらの組み合わせであってもよい。以下の説明は特定タイプの携帯電子機器（例えば、ストレート型、ウォッチ型、グラス型など）に関するものであるが、特定タイプの携帯電子機器に関する説明は他のタイプの携帯電子機器にも一般的に適用可能である。
【０１１９】
ここで、携帯電子機器１００の本体とは、携帯電子機器１００を少なくとも１つの集合体とみなしてそれを示す概念であり、胴部ともいえる。
【０１２０】
携帯電子機器１００は、外観を形成するケース１０１（例えば、フレーム、ハウジング、カバーなど）を含む。ケース１０１は、フロントケースとリアケースとを含んでもよい。フロントケースとリアケースとの結合により形成される内部空間には、各種電子部品が配置される。フロントケースとリアケースとの間には、１つ又は複数のミドルケースがさらに配置されてもよい。
【０１２１】
ケース１０１は、フレキシブルなディスプレイ部１５１の特性を考慮して、外力によりディスプレイ部１５１と共に変形するように構成されてもよい。すなわち、ディスプレイ部１５１は、ケース１０１と共に曲げたり折り畳んだりすることができるように形成される。
【０１２２】
例えば、ケース１０１は、プラスチック、薄いガラス、繊維成分、薄い金属（例えば、アルミニウムなど）、織物、シリコンなどの変形可能な物質、又はその組み合わせで形成されてもよい。
【０１２３】
また、ケース１０１の一部又は全体の構造は、誘電性物質又は低導電性物質で形成されてもよく、金属物質で形成されてもよい。
【０１２４】
携帯電子機器１００の本体の前面には、情報を出力できるようにディスプレイ部１５１が配置されてもよい。図示のように、ディスプレイ部１５１は、ケース１０１に装着されて携帯電子機器１００の本体の前面を形成するようにしてもよい。
【０１２５】
場合によっては、リアケースに電子部品が装着されてもよい。リアケースに装着可能な電子部品としては、着脱可能なバッテリ、識別モジュール、メモリカードなどがある。この場合、リアケースには、装着された電子部品を覆うための背面カバーが着脱可能に結合される。つまり、背面カバーがリアケースから分離した場合、リアケースに装着された電子部品が外部に露出する。また、背面カバーには、背面カメラ１２１ｂや音響出力部１５２を外部に露出させるための開口部が備えられてもよい。
【０１２６】
携帯電子機器１００は、複数のケースが各種電子部品を収容する内部空間を形成する前記例とは異なり、１つのケースが内部空間を形成するように構成されてもよい。この場合、合成樹脂又は金属が側面から背面につながるユニボディの携帯電子機器１００が実現される。
【０１２７】
さらに、携帯電子機器１００は、携帯電子機器１００の本体の内部に水が入り込まないようにする防水部（図示せず）を含んでもよい。例えば、防水部は、ディスプレイ部１５１ａとフロントケースとの間、フロントケースとリアケースとの間、又はリアケースと背面カバーとの間に備えられ、これらの結合時に内部空間を密閉する防水部材を含んでもよい。
【０１２８】
さらに、携帯電子機器１００は、ディスプレイ部１５１、音響出力部１５２、光出力部１５４、背面カメラ１２１ｂ、マイク１２２、背面入力部１２３ａ、１２３ｂ、フラッシュ１２４、電磁波生成部１３０などを含んでもよい。
【０１２９】
以下、図２Ａ及び図２Ｂに示すように、携帯電子機器１００の本体の前面にディスプレイ部１５１が配置され、携帯電子機器１００の本体の背面に背面カメラ１２１ｂ、音響出力部１５２、マイク１２２、背面入力部１２３ａ、１２３ｂ及び光出力部１５４が配置された携帯電子機器１００を一例として説明する。ただし、携帯電子機器１００のこれらの構成要素は、このような配置に限定されるものではなく、必要に応じて除外又は代替されたり、他の面に配置されてもよい。
【０１３０】
ディスプレイ部１５１は、携帯電子機器１００で処理される情報を表示（出力）する。例えば、ディスプレイ部１５１は、携帯電子機器１００で起動されるアプリケーションプログラムの実行画面情報、又は当該実行画面情報に応じたＵＩ、ＧＵＩ情報を表示する。
【０１３１】
ディスプレイ部１５１は、液晶ディスプレイ（ＬＣＤ）、薄膜トランジスタ液晶ディスプレイ（ＴＦＴ−ＬＣＤ）、有機発光ダイオード（ＯＬＥＤ）、３次元ディスプレイ、電子インクディスプレイの少なくとも１つを含む。
【０１３２】
一方、ディスプレイ部１５１は、外力により変形可能に構成されてもよい。変形は、曲げ、折り曲げ、折り畳み、ねじり、巻きの少なくとも１つである。このように変形可能に構成されたディスプレイ部１５１は、「フレキシブルディスプレイ部」や「ベンダブルディスプレイ部」とも呼ばれる。ここで、フレキシブルディスプレイ部は、一般的なフレキシブルディスプレイ、電子ペーパー及びその組み合わせを全て含む。つまり、フレキシブルディスプレイ部１５１とは、少なくとも一部を曲げることができるようにフレキシブルに形成されるディスプレイ部を意味する。
【０１３３】
一般的なフレキシブルディスプレイとは、従来のフラットパネルディスプレイの特性を維持しながらも、紙のように曲げたり、折り曲げたり、折り畳んだり、ねじったり、巻いたりすることのできる薄くかつ柔軟な基板上に製作されるので軽くて割れにくい丈夫なディスプレイをいう。
【０１３４】
また、電子ペーパーは、一般的なインクの特性を適用したディスプレイ技術であり、反射光を用いるという点で従来のフラットパネルディスプレイとは異なる。電子ペーパーは、ツイストボールを用いるか、又はカプセル型電気泳動方式を用いて、情報を変更することができる。
【０１３５】
フレキシブルディスプレイ部１５１は、変形していない状態（例えば、無限大の曲率半径を有する状態）では、フレキシブルディスプレイ部１５１のディスプレイ領域が平面となり、外力により変形した状態（例えば、有限の曲率半径を有する状態）では、ディスプレイ領域が曲面となるようにしてもよい。図示のように、変形した状態で表示される情報は、曲面上に出力される視覚情報である。視覚情報は、マトリクス状に配置された単位画素（サブピクセル）の発光が独自に制御されることにより実現される。単位画素とは、１つの色を実現するための最小単位を意味する。
【０１３６】
フレキシブルディスプレイ部１５１は、変形していないときは、平坦な状態ではなく、曲がった状態（例えば、上下又は左右に曲がった状態）にあり、フレキシブルディスプレイ部１５１に外力が加わると、平坦な状態（もしくは、より小さく曲がった状態）又はより大きく曲がった状態に変形するようにしてもよい。
【０１３７】
フレキシブルディスプレイ部１５１は、複数層の物質で形成されてもよい。例えば、フレキシブルディスプレイ部１５１は、タッチセンサと組み合わせられてフレキシブルタッチスクリーンを実現するようにしてもよい。フレキシブルタッチスクリーンがタッチされると、制御部１８０（図１参照）は、そのタッチ入力に対応する制御を行うことができる。フレキシブルタッチスクリーンは、変形していない状態だけでなく、変形した状態でもタッチ入力を感知できるように構成される。タッチセンサは、フレキシブルディスプレイ部１５１の基板上に配置されてもよく、フレキシブルディスプレイ部１５１の内部に備えられてもよい。
【０１３８】
このように、フレキシブルディスプレイ部１５１は、タッチセンサと共にフレキシブルタッチスクリーンを実現することができる。この場合、フレキシブルタッチスクリーンは、ユーザ入力部１２３（図１参照）として機能することができる。
【０１３９】
なお、フレキシブルディスプレイ部１５１の変形は外力によるものに限定されるものではない。例えば、フレキシブルディスプレイ部１５１は、変形していない状態で、ユーザ又はアプリケーションの命令により変形することもできる。より具体的には、携帯電子機器１００は、駆動部（図示せず）を備え、所定の条件を満たす場合、外力ではなく、駆動部の駆動により、変形していない状態から変形した状態に変形することができる。
【０１４０】
本発明の一実施形態による携帯電子機器１００には、フレキシブルディスプレイ部１５１の変形を感知する変形感知手段が備えられてもよい。変形感知手段は感知部１４０（図１参照）に含まれてもよい。
【０１４１】
変形感知手段は、フレキシブルディスプレイ部１５１又はケース１０１に備えられ、フレキシブルディスプレイ部１５１の変形に関する情報を感知する。ここで、フレキシブルディスプレイ部１５１の変形に関する情報は、フレキシブルディスプレイ部１５１の変形した方向、変形した程度、変形した位置、変形した時間及び復元する加速度などであり、その他に、フレキシブルディスプレイ部１５１の曲がりにより感知できる様々な情報であってもよい。
【０１４２】
また、制御部１８０は、変形感知手段により感知されるフレキシブルディスプレイ部１５１の変形に関する情報に基づいて、フレキシブルディスプレイ部１５１に表示される情報を変更したり、携帯電子機器１００の機能を制御するための制御信号を生成することができる。
【０１４３】
例えば、制御部１８０は、フレキシブルディスプレイ部１５１が外部の物理的な力により曲がった場合、フレキシブルディスプレイ部１５１の曲がった方向、曲がった角度、復元する加速度に応じて、フレキシブルディスプレイ部１５１に既に表示されていた画面イメージの並べ替え、分離、合成、又は曲率変更を行うことができる。より具体的には、制御部１８０は、フレキシブルディスプレイ部１５１が外部の物理的な力により内側に曲がれば、フレキシブルディスプレイ部１５１に表示された画面イメージが互いに近接するように表示し、逆に、フレキシブルディスプレイ部１５１が外部の物理的な力により外側に曲がれば、フレキシブルディスプレイ部１５１に表示された画面イメージが互いに離隔するように表示することができる。
【０１４４】
一方、携帯電子機器１００は、フレキシブルディスプレイ部１５１を収容するケース１０１を含む。ケース１０１は、フレキシブルディスプレイ部１５１の特性を考慮して、外力によりフレキシブルディスプレイ部１５１と共に変形するように構成されてもよい。すなわち、フレキシブルディスプレイ部１５１は、ケース１０１と共に曲がるように形成される。
【０１４５】
一方、図２Ｂに示すように、携帯電子機器１００のケース１０１の背面には、ユーザ入力部１２３の他の例として、１つ又は複数の背面入力部１２３ａ、１２３ｂが備えられてもよい。背面入力部１２３ａ、１２３ｂは、携帯電子機器１００の動作を制御するための命令を入力するために操作するものであり、入力される内容は多様に設定可能である。例えば、電源のオン／オフ、開始、終了、スクロールなどの命令、音響出力部１５２から出力される音響のボリューム調整、フレキシブルディスプレイ部１５１のタッチ認識モードへの移行などの命令が入力される。背面入力部１２３ａ、１２３ｂは、タッチ入力、プッシュ入力又はそれらの組み合わせによる入力が可能な形態で実現することができる。
【０１４６】
背面入力部１２３ａ、１２３ｂは、携帯電子機器１００の本体の厚さ方向に前面のフレキシブルディスプレイ部１５１と重なるように配置されてもよい。また、背面入力部１２３ａ、１２３ｂは、ケース１０１の左端及び右端近傍に配置されてもよい。これにより、背面入力部１２３ａ、１２３ｂは、ケース１０１が曲がっていない平坦な状態では携帯電子機器１００の背面に位置し、ケース１０１の左端及び右端が対向するように曲がると携帯電子機器１００の前面に位置する。ただし、本発明は、これに限定されるものではなく、背面入力部１２３ａ、１２３ｂの位置や数を変更可能である。
【０１４７】
一方、携帯電子機器１００には、ユーザの指紋を認識する指紋センサが備えられてもよい。この場合、制御部１８０は、指紋センサにより感知される指紋情報を認証手段として用いることができる。指紋センサは、フレキシブルディスプレイ部１５１又は背面入力部１２３ａ、１２３ｂに内蔵されてもよい。
【０１４８】
マイク１２２は、ユーザの音声、その他の音などを入力できるように構成される。マイク１２２は、複数箇所に備えられてステレオ音響を入力できるように構成されてもよい。
【０１４９】
携帯電子機器１００の本体の背面には、背面カメラ１２１ｂが配置されてもよい。図示していないが、携帯電子機器１００の本体の前面に前面カメラ１２１ａが配置された場合、背面カメラ１２１ｂは、前面カメラ１２１ａとは撮影方向が実質的に反対である。
【０１５０】
前面カメラ１２１ａは、フレキシブルディスプレイ部１５１の一部に形成された開口部に配置されてもよい。あるいは、前面カメラ１２１ａは、前面に配置されるケース１０１の一部に形成された開口部に配置されてもよい。
【０１５１】
背面カメラ１２１ｂは、撮影モード又はテレビ電話モードでイメージセンサにより得られる静止画像又は動画像などの画像フレームを処理する。処理された画像フレームは、フレキシブルディスプレイ部１５１に表示したり、メモリ１７０に保存することができる。
【０１５２】
背面カメラ１２１ｂは、少なくとも１つのラインに沿って配列される複数のレンズを含んでもよい。複数のレンズは、マトリクス状に配列されてもよい。このようなカメラを「アレイカメラ」ともいう。カメラ１２１がアレイカメラで構成された場合、複数のレンズを用いて様々な方式で画像を撮影することができ、よりよい品質の画像を取得することができる。
【０１５３】
フラッシュ１２４は、背面カメラ１２１ｂに隣接して配置され、背面カメラ１２１ｂで被写体を撮影する場合に被写体に向けて光を照射する。
【０１５４】
電磁波生成部１３０は、背面カメラ１２１ｂに隣接して配置され、背面カメラ１２１ｂがアクティブになると生成された電磁波を放射する。
【０１５５】
携帯電子機器１００の本体には、無線通信のための少なくとも１つのアンテナが備えられてもよい。アンテナは、携帯電子機器１００の本体に内蔵されてもよく、ケース１０１に形成されてもよい。例えば、放送受信モジュール１１１（図１参照）の一部を構成するアンテナは、携帯電子機器１００の本体から引き出し可能に構成されてもよい。あるいは、アンテナは、フィルム状に形成されて背面カバーの内面に取り付けられてもよく、導電性材質を含むケースがアンテナとして機能するように構成されてもよい。
【０１５６】
光出力部１５４は、イベントの発生時にそれを通知するための光を出力するように構成される。イベントの例としては、呼信号受信、メッセージ受信、不在着信、アラーム、スケジュール通知、電子メール受信、アプリケーションによる情報受信などが挙げられる。制御部１８０は、ユーザのイベント確認が感知されると光の出力が終了するように、光出力部１５４を制御することができる。
【０１５７】
さらに、携帯電子機器１００に備えられるバッテリ（図示せず）も、フレキシブルディスプレイ部１５１の特性を考慮して、外力によりフレキシブルディスプレイ部１５１と共に変形するように構成されてもよい。バッテリを実現するために、バッテリセルを上に積層したスタックフォールディング（stack and folding）方式を適用することができる。
【０１５８】
図示していないが、携帯電子機器１００の本体の側面には、インタフェース部１６０（図１参照）が配置されてもよい。インタフェース部１６０は、携帯電子機器１００を外部機器に接続するための通路となる。例えば、インタフェース部１６０は、他の装置（例えば、イヤホン、外部スピーカなど）との接続のための接続端子、近距離通信のためのポート（例えば、赤外線ポート（ＩｒＤＡポート）、ブルートゥースポート、無線ＬＡＮポートなど）、又は携帯電子機器１００への電源供給のための電源供給端子の少なくとも１つである。インタフェース部１６０は、ＳＩＭ、ＵＩＭ、情報保存のためのメモリカードなどの外部カードを収容するソケットの形態で実現してもよい。
【０１５９】
バッテリは、インタフェース部１６０に接続される電源ケーブルを介して電源が供給されるように構成されてもよい。また、バッテリは、無線充電機器により無線充電可能に構成されてもよい。無線充電は、電磁誘導方式又は磁界共振方式（電磁界共鳴方式）で実現することができる。
【０１６０】
前述したような構成要素の少なくとも１つを含む本発明の一実施形態による携帯電子機器１００は、フレキシブルディスプレイ部１５１の少なくとも一部が膨らんだ形状又は凹んだ形状に変形するメカニズムを備えてもよい。この場合、制御部１８０は、フレキシブルディスプレイ部１５１の形状変形に基づいて携帯電子機器１００の機能を制御することができる。
【０１６１】
以下、フレキシブルディスプレイ部１５１の構造と共に、フレキシブルディスプレイ部１５１の形状変形に基づいて携帯電子機器１００の機能を制御する方法について添付図面を参照してより具体的に説明する。
【０１６２】
まず、本発明の一実施形態による携帯電子機器１００におけるフレキシブルディスプレイ部１５１の外形的特徴について説明する。
【０１６３】
図３Ａは本発明の一実施形態による携帯電子機器におけるディスプレイ部が単一の平面を形成する一例を示す前方斜視図であり、図３Ｂ、図３Ｃ、図３Ｄ及び図３Ｅは図３Ａの携帯電子機器におけるディスプレイ部の少なくとも一部が形状変形した様々な例を示す前方斜視図である。
【０１６４】
図３Ａ〜図３Ｅを参照すると、携帯電子機器１００は、外観を形成するケースと、前面に配置されるフレキシブルディスプレイ部１５１と、フレキシブルディスプレイ部１５１の変形を感知する感知部とを含む。
【０１６５】
フレキシブルディスプレイ部１５１は、曲げたり折り畳んだりすることができるように形成される。
【０１６６】
ここで、フレキシブルディスプレイ部１５１の折り畳み（フォールディング）とは、携帯電子機器１００の本体において一部分の曲率半径が基準値より小さく維持される状態を意味する。折り畳まれた場合、フレキシブルディスプレイ部１５１の画面は互いに当接するか又は近接するように位置する。
【０１６７】
それに対して、フレキシブルディスプレイ部１５１の曲げ（ベンディング）とは、携帯電子機器１００の本体において一部分の曲率半径が基準値より大きく維持される状態、つまり曲がった状態を意味する。また、折り畳みと曲げとは、曲がる程度によって区分することもできる。例えば、所定の角度を超えて曲がれば折り畳みと定義し、所定の角度以下に曲がれば曲げと定義することができる。また、所定の角度を超えて曲がっていても曲率半径が基準値より大きい場合は曲げと定義することができる。
【０１６８】
図３Ａ〜図３Ｅを参照すると、携帯電子機器１００は、フレキシブルディスプレイ部１５１が単一の平面を形成する状態から、フレキシブルディスプレイ部１５１の少なくとも一部が形状変形した状態に切り替えることができる。形状変形した状態は、例えばフレキシブルディスプレイ部１５１の少なくとも一対の地点で曲がって特定領域で膨らんだ状態であってもよい。すなわち、フレキシブルディスプレイ部１５１は、特定領域が平面である第１状態（図３Ａ参照）と特定領域が膨らむ（又は凹む）第２状態とになるように構成されてもよい。
【０１６９】
この場合、第２状態は、図３Ｂのように特定領域２３０が携帯電子機器の前面を基準として凸状に膨らんだ状態であってもよい。図３Ｂを参照すると、フレキシブルディスプレイ部１５１は、特定領域２３０により区分される第１領域２１０と第２領域２２０とを含んでもよい。より具体的には、フレキシブルディスプレイ部１５１において、特定領域２３０は、第１領域２１０と第２領域２２０との間に配置される領域であってもよい。第１領域２１０は、フレキシブルディスプレイ部１５１の一側に配置される領域であり、第２領域２２０は、フレキシブルディスプレイ部１５１の他側に配置される領域であってもよい。つまり、特定領域２３０は、フレキシブルディスプレイ部１５１の縁部ではなく、中央部であってもよい。また、特定領域２３０は、一方向に長く形成され、全領域が一定に変形するようにしてもよい。
【０１７０】
ここで、携帯電子機器は、本体全体がフレキシブルディスプレイ部１５１と共に変形するようにしてもよい。この場合、携帯電子機器の背面において特定領域２３０に対応する部分が凹んだ形状に変形する。また、携帯電子機器は、特定領域２３０のみフレキシブルに構成されてもよい。この場合、携帯電子機器の第１領域２１０及び第２領域２２０がフレキシブルではなく、特定領域２３０を中心に折り畳むことができる。
【０１７１】
携帯電子機器全体がフレキシブルに構成された場合、特定領域２３０は、携帯電子機器の本体の全領域のうち所定の領域に予め設定されてもよい。また、特定領域２３０は、予め設定されるのではなく、携帯電子機器の全領域であってもよい。
【０１７２】
図３Ｃを参照すると、携帯電子機器は、特定領域２３０が一定に曲がるのではなく、不規則な形状に変形することができる。他の例として、図３Ｄを参照すると、携帯電子機器は、特定領域２３０がフレキシブルディスプレイ部１５１の前面を基準として膨らんだ形状に変形するのではなく、凹んだ形状に変形することができる。
【０１７３】
図３Ｅを参照すると、携帯電子機器は、特定領域２３０を中心に折り畳むことができる。すなわち、フレキシブルディスプレイ部１５１は、特定領域２３０を軸に回動させて畳むことができる。例えば、携帯電子機器１００の本体の左端（第１領域２１０）は、特定領域２３０を軸として第１矢印方向３００ａに回動させて畳んだり変形させることができる。この場合、第１領域２１０と第２領域２２０とが重なり、フォールダブルディスプレイが実現される。また、フレキシブルディスプレイ部１５１に複数の特定領域２３０が備えられてもよい。この場合、携帯電子機器１００の本体の左端及び右端がそれぞれ折り畳まれ、デュアルフォールダブルディスプレイ（dual foldable display）が実現される。
【０１７４】
前述したように、本発明による携帯電子機器は、フレキシブルディスプレイ部の特定領域が膨らんだ形状又は凹んだ形状に変形するように構成される。以下、特定領域の変形に関する制御動作と詳細メカニズムについて説明する。より具体的には、図４を参照して、フレキシブルディスプレイ部の特定領域が変形した場合における携帯電子機器の制御動作について説明する。図４は本発明の一実施形態による携帯電子機器の制御方法を示す概念図である。
【０１７５】
図４を参照すると、携帯電子機器のフレキシブルディスプレイ部１５１は、第１領域２１０、第２領域２２０及び特定領域２３０を含む。図４の（ａ）を参照すると、フレキシブルディスプレイ部１５１にはホーム画面ページが表示されている。ホーム画面ページには少なくとも１つのオブジェクトが含まれ、オブジェクトは携帯電子機器にインストールされたアプリケーションのアイコン又はウィジェットであってもよい。ホーム画面ページは、フレキシブルディスプレイ部１５１の第１領域２１０、第２領域２２０及び特定領域２３０を含む領域に表示される。ただし、本発明はこれに限定されるものではなく、第１領域２１０と第２領域２２０とは、異なる形態のグラフィックユーザインタフェース（ＧＵＩ）を有し、異なる種類の情報を表示するように区画された領域であってもよい。
【０１７６】
少なくとも１つのアプリケーションにおいてイベントが発生すると、制御部１８０は、イベントを通知する情報を特定領域２３０に出力する（図４の（ｂ）参照）。ただし、フレキシブルディスプレイ部１５１に表示されたホーム画面ページは、単なる例示にすぎず、フレキシブルディスプレイ部１５１に現在実行中のアプリケーションのグラフィックユーザインタフェース（ＧＵＩ）が出力された状態でイベントが発生し得る。さらに、制御部１８０は、特定領域２３０が携帯電子機器の前面を基準として凸状に膨らんだ状態となるように制御する。本例示において、イベントを通知する情報は、メールの到着を通知する情報であり、メールの簡単な内容であってもよい。
【０１７７】
この場合、制御部１８０は、感知部１４０を用いてフレキシブルディスプレイ部１５１の状態遷移を感知する。フレキシブルディスプレイ部１５１に物理的な力が加えられることにより、フレキシブルディスプレイ部１５１が第２状態から第１状態に復元されると、感知部１４０は、そのフレキシブルディスプレイ部１５１の形状変形を感知する。前述したように、第１状態は、フレキシブルディスプレイ部１５１の特定領域２３０が平面の状態であり、第２状態は、特定領域２３０が膨らんだ形状又は凹んだ形状に変形した状態であってもよい。
【０１７８】
ここで、形状変形は、フレキシブルディスプレイ部１５１に加えられる外部の物理的な力により行われ、外部の物理的な力は、ユーザ又はユーザではない他の物体によるものであってもよい。感知部１４０により第２状態から第１状態への遷移が感知されると、制御部１８０は、感知に基づいてそのイベントに関する情報の出力を制御する。より具体的には、図４の（ｃ）に示すように、凸状に膨らんだ特定領域２３０がユーザにより押されて再び平坦になると、制御部１８０は、ユーザがメールを確認したと判断するようにしてもよい。このとき、特定領域２３０の画面にはメールの内容が所定時間表示されてから消えるようにしてもよい。他の例として、ユーザのプッシュ入力により、出力されていたメールの内容が次第に消えるようにしてもよい。このような駆動方式によれば、携帯電子機器にイベントが発生するとユーザが容易に分かるように通知することができる。
【０１７９】
以下、図４の動作を行う携帯電子機器のハードウェア的な構成についてより詳細に説明する。図５は本発明の一実施形態による携帯電子機器の斜視図であり、図６は図５の携帯電子機器の分解斜視図であり、図７Ａ及び図７Ｂはそれぞれ図５の携帯電子機器のＡ−Ａ線断面図及びＢ−Ｂ線断面図であり、図７Ｃは図６の係止孔の拡大図である。
【０１８０】
同図を参照すると、携帯電子機器の本体は、前面、背面及び側面を備え、前面にフレキシブルディスプレイ部２５１が配置され、背面にケースが配置される。ケースは、本体の背面を形成する背面カバー２０１であってもよい。本例示においては、背面カバー２０１にフレキシブルディスプレイ部２５１が装着され、背面カバー２０１は外力により変形するようにフレキシブルに形成される。すなわち、本例示においては、フレキシブルディスプレイ部２５１と背面カバー２０１とが結合されて電子部品装着空間を形成し、携帯電子機器が厚さを維持しながら曲がったり折り畳まれたりするように背面カバー２０１もフレキシブルに形成される。このために、背面カバー２０１は、本体の背面に対応する第１部分２０１ａと、第１部分２０１ａの縁部から突出する第２部分２０１ｂとを含んでもよい。
【０１８１】
ここで、背面カバー２０１は、プラスチック、繊維成分、薄い金属（例えば、アルミニウムなど）、織物、シリコン、ゴムなどの変形可能な物質、又はその組み合わせで形成されてもよい。また、背面カバー２０１は、ポリエチレンテレフタレート（ＰＥＴ）フィルムや薄いガラスなどのように、光透過性かつ柔軟性を有する材質で形成されてもよい。この場合、フレキシブルディスプレイ部２５１も光透過性ディスプレイ部となり、フレキシブルディスプレイ部２５１に出力される情報は背面カバー２０１を通過して携帯電子機器の背面からも外部に露出する。
【０１８２】
ただし、本発明はこれに限定されるものではなく、ケースは、背面カバー２０１に加え、他のカバーやケースをさらに備えてもよい。例えば、本体の前面の少なくとも一部を形成するフロントケースと本体の背面の少なくとも一部を形成するリアケースとが結合されて電子部品装着空間を形成するようにしてもよく、リアケースには装着された電子部品を覆うための背面カバーが着脱可能に結合されるようにしてもよい。
【０１８３】
図示のように、背面カバー２０１には電子部品が装着される。例えば、背面カバー２０１には着脱可能なバッテリ、識別モジュール、メモリカードなどが装着されてもよい。さらに、背面カバー２０１は、背面カメラ１２１ｂ（図２Ｂ参照）や音響出力部１５２（図２Ｂ参照）を外部に露出するための開口部を備えてもよい。
【０１８４】
また、携帯電子機器の背面には、１つ又は複数の背面入力部１２３ａ、１２３ｂ（図２Ｂ参照）が備えられてもよい。背面入力部１２３ａ、１２３ｂは、携帯電子機器の動作を制御するための命令を入力するために操作するものであり、入力される内容は多様に設定可能である。例えば、背面入力部１２３ａ、１２３ｂは、タッチ入力、プッシュ入力又はそれらの組み合わせによる入力が可能な形態で実現することができる。つまり、背面入力部１２３ａ、１２３ｂは、タッチ入力とプッシュ入力のどちらも行えるように構成され、場合によっては、フレキシブルディスプレイ部２５１のタッチセンサの役割と携帯電子機器のホームキーの役割を果たすことができる。
【０１８５】
背面入力部１２３ａ、１２３ｂは、携帯電子機器の左端及び右端近傍に配置されてもよい。これにより、携帯電子機器が折り畳まれた状態で、背面の少なくとも１箇所に配置された背面入力部１２３ａ、１２３ｂが前面に位置することになる。
【０１８６】
フレキシブルディスプレイ部２５１は、例えばプラスチックＯＬＥＤディスプレイやマイクロＬＥＤディスプレイなどのようにフレキシブルなディスプレイ素子を含んでもよい。また、ディスプレイ素子は、ウィンドウにより覆われてもよい。例えば、ウィンドウは、光透過性かつ柔軟性を有する素材、例えばポリエチレンテレフタレート（ＰＥＴ）フィルムや薄いガラスなどで形成される。ただし、ウィンドウは、光が透過しない部分を含んでもよい。ウィンドウにおいて光が透過する部分は、ディスプレイ素子に対応する面積を有するようにしてもよい。これにより、ユーザはフレキシブルディスプレイ部２５１から出力される視覚情報を外部から認知できるようになる。
【０１８７】
また、ウィンドウとディスプレイ素子との間には、ウィンドウへのタッチ入力を感知するタッチセンサ（図示せず）が配置されてもよい。一例として、タッチセンサは、別途備えられてウィンドウの背面に取り付けられてもよい。他の例として、タッチセンサは、ディスプレイ素子と一体に構成されてもよく、この場合、ディスプレイ素子はタッチセンシブルディスプレイ素子であってもよい。
【０１８８】
タッチセンサは、光透過性に形成され、タッチ入力を感知するように構成されてウィンドウの特定部位に発生する電圧やキャパシタンスなどの変化を電気的な入力信号に変換する。また、タッチセンサは、タッチされる位置及び面積だけでなく、タッチ時の圧力も検出できるように構成されてもよい。このように、ウィンドウ、タッチセンサ及びディスプレイ素子をフレキシブルディスプレイ部２５１として構成してもよく、この場合、フレキシブルディスプレイ部２５１はフレキシブルタッチスクリーンとして動作する。
【０１８９】
同図を参照すると、フレキシブルディスプレイ部２５１の背面には、フレキシブルディスプレイ部２５１の少なくとも一部を加圧するように形成される加圧部材２６０が配置される。加圧部材２６０は、フレキシブルディスプレイ部２５１により覆われるように配置され、温度変化によって形状が変化するように構成される。すなわち、加圧部材２６０は、形状変形によりフレキシブルディスプレイ部２５１の特定領域２３０を加圧する。
【０１９０】
より具体的には、加圧部材２６０は、特定温度で元の形状に復元する形状記憶合金材質からなる。例えば、加圧部材２６０は、電流供給により第１温度から第２温度に変化すると、平坦な形状から膨らんだ形状に変化する。また、加圧部材２６０は、放熱により第２温度から第１温度に変化すると、膨らんだ形状から平坦な形状に変化する。すなわち、加圧部材２６０は、第１温度では平坦な形状となり、第２温度では膨らんだ形状となるように構成される。この場合、加圧部材２６０は、フレキシブルディスプレイ部２５１の下方に配置され、膨らんだ形状に変化することによりフレキシブルディスプレイ部２５１の特定領域２３０を加圧する。
【０１９１】
携帯電子機器は、スリープモードやドーズモードでは第１状態となり、イベント発生などによりアクティブモードに移行すると第２状態となる。よって、制御部１８０は、第１状態で加圧部材２６０が動作しないように制御する。このために、第１温度を常温にし、第２温度を第１温度より高い温度にしてもよい。
【０１９２】
制御部１８０は、加圧部材２６０を制御するように加圧部材２６０に電気的に接続される。より具体的には、制御部１８０は加圧部材２６０に供給される電流を制御し、加圧部材２６０に電流が供給されるか否かによって加圧部材２６０の温度が変化する。
【０１９３】
プリント基板（ＰＣＢ）２８１は、携帯電子機器の各種機能を動作させるための制御部１８０の一例として構成される。図示のように、プリント基板２８１には各種電子素子などが装着される。この場合、プリント基板２８１は、フレキシブルディスプレイ部２５１と共に曲げたり折り畳んだりすることができるようにフレキシブルプリント基板で構成され、フレキシブルディスプレイ部２５１の下方に配置される。また、プリント基板２８１は、加圧部材２６０から離隔するようにフレキシブルディスプレイ部２５１の前面と平行に配置される。プリント基板２８１の一側には、加圧部材２６０との電気的接続のためにプリント基板２８１から突出する接続部材２８２が配置される。携帯電子機器の特定領域２３０のみフレキシブルに構成された場合は、プリント基板２８１をフレキシブルでない硬質のプリント基板にし、接続部材２８２をフレキシブルなプリント基板にしてもよい。
【０１９４】
接続部材２８２は、プリント基板２８１に接続される部分２８３と、加圧部材２６０に接続される部分２８４とを含む。単一のプリント基板２８１を複数の加圧部材２６０に接続するために、加圧部材２６０に接続される部分２８４は複数で形成されてもよい。すなわち、加圧部材２６０に接続される部分２８４は、プリント基板２８１に接続される部分２８３から複数に分岐され、第１接続部２８４ａ及び第２接続部２８４ｂを含む。
【０１９５】
図示のように、第１接続部２８４ａの端部と第２接続部２８４ｂの端部とは、携帯電子機器の厚さ方向に高さ差を有する。これにより、加圧部材２６０は、複数で備えて重なるように配置することができる。すなわち、前述した加圧部材２６０は複数の加圧部材２６０のいずれかであり、複数の加圧部材２６０は第１加圧部材２６１及び第２加圧部材２６２を含む。第１加圧部材２６１と第２加圧部材２６２とは重なるように配置され、第１加圧部材２６１は第１接続部２８４ａに電気的に接続され、第２加圧部材２６２は第２接続部２８４ｂに電気的に接続される。
【０１９６】
一例として、第１加圧部材２６１及び第２加圧部材２６２は、同じ種類の形状記憶合金からなるようにしてもよい。この場合、制御部１８０は、第１加圧部材２６１及び第２加圧部材２６２に供給される電流量を調整することにより、第１加圧部材２６１及び第２加圧部材２６２の変形の程度を制御することができる。つまり、第１加圧部材２６１及び第２加圧部材２６２は、同じ温度で同じ制御を行うこともでき、異なる温度で異なる制御を行うこともできる。板材が曲げられた場合、その曲げによる変形量は厚さ方向によって異なる。本例示においては、第１加圧部材２６１と第２加圧部材２６２とが重なった状態で変形量を制御するので、曲げによる変形量の差を設計者が適切に補償することができる。ただし、本発明はこれに限定されるものではなく、例えば、制御部１８０は、曲げによる変形量の差を無視し、同じ大きさの電流を第１加圧部材２６１及び第２加圧部材２６２に供給することもできる。
【０１９７】
他の例として、第１加圧部材２６１及び第２加圧部材２６２は、同じ種類の形状記憶合金からなるが異なる厚さで形成されてもよく、異なる種類の形状記憶合金からなるようにしてもよい。この場合、第１加圧部材２６１及び第２加圧部材２６２の変形の程度を制御するために制御部１８０が同じ大きさの電流を第１加圧部材２６１及び第２加圧部材２６２に供給しても、第１加圧部材２６１及び第２加圧部材２６２の変形量は異なることになる。
【０１９８】
また、第１加圧部材２６１及び第２加圧部材２６２は、それぞれ、互いに離隔するようにフレキシブルディスプレイ部２５１と平行に配置される複数の形状記憶合金部材２６１ａ、２６１ｂを含んでもよい。複数の形状記憶合金部材２６１ａ、２６１ｂは、同じ種類の形状記憶合金からなるようにしてもよく、異なる種類の形状記憶合金からなるようにしてもよい。
【０１９９】
また、形状記憶合金部材２６１ａ、２６１ｂ間には絶縁体２６３が配置されてもよい。絶縁体２６３は、ゴムのように柔軟であり、かつ形状を実現できる材質からなる。この場合、制御部１８０は、形状記憶合金部材２６１ａ、２６１ｂを個別に制御することができる。このために、プリント基板２８１と加圧部材２６０とを電気的に接続できるように、複数の接続部材２８２ａ、２８２ｂがプリント基板２８１から突出してもよい。
【０２００】
このような構造においては、特定領域をさらに複数の領域に区画し、領域毎に異なる量の電流を供給することにより、領域毎に個別に温度制御を行うことができる。このような領域毎の温度制御によりねじれた形状を実現できるようになる。
【０２０１】
一方、加圧部材２６０の温度を検出するために、プリント基板２８１には第１温度センサ２８１ａ及び第２温度センサ２８１ｂが取り付けられてもよい。例えば、第１温度センサ２８１ａ及び第２温度センサ２８１ｂが加圧部材２６０の両側にそれぞれ配置され、第１温度センサ２８１ａ及び第２温度センサ２８１ｂで検出された温度を用いて、加圧部材２６０に供給される電流の量や供給時間を決定するようにしてもよい。また、第１温度センサ２８１ａ及び第２温度センサ２８１ｂは、携帯電子機器の縦方向の両端にそれぞれ配置されてもよい。より具体的な例として、第１温度センサ２８１ａ及び第２温度センサ２８１ｂは、加圧部材２６０の対角線方向において最も遠い位置にそれぞれ配置されてもよい。
【０２０２】
さらに、フレキシブルディスプレイ部２５１の下方には、加圧部材２６０に加え、支持部材２７０が配置されてもよい。支持部材２７０は、弾性変形可能に形成されて加圧部材２６０からの外力によりフレキシブルディスプレイ部２５１の少なくとも一部と共に変形し、フレキシブルディスプレイ部２５１の少なくとも一部を支持するように配置される。支持部材２７０は、金属板状の本体２７１を含む。本体２７１の材質は、アルミニウムやステンレススチールであってもよい。
【０２０３】
本体２７１の一面には複数のスリット２７２が形成される。複数のスリット２７２は、本体２７１の一面上で所定の形態が繰り返されるパターンを形成する。複数のスリット２７２は、本体２７１を貫通する貫通孔であってもよい。より具体的には、金属板材に多角形の貫通パターンが形成されてもよい。これにより、柔軟に動けるヒンジが実現される。貫通パターンは、本体がアルミニウムの場合はレーザ加工により形成され、本体がステンレススチールの場合はプレス加工により形成されてもよい。
【０２０４】
複数のスリット２７２は、それぞれ携帯電子機器の縦方向に長く形成される長孔であってもよい。ここで、縦方向とは、携帯電子機器の横辺及び縦辺のうち短い辺に沿って延びる方向をいい、横方向とは、長い辺に沿って延びる方向をいう。
【０２０５】
図６に示すように、複数のスリット２７２は、３列以上の多列が交互に配列されてもよい。より具体的には、各列において複数のスリット２７２が縦方向に離隔して配置される。この場合、横方向に隣接する列同士はスリット２７２の位置がずれるように配置される。例えば、各列に形成されたスリット２７２は長さが同一であり、１つの列に形成されたスリット２７２は隣接する列に形成されたスリット２７２と横方向に一部のみ重なるようになっている。このように構成されるスリット２７２のパターン形状は、支持部材２７０に柔軟性を付与すると共に、携帯電子機器の縦方向に一定に膨らむように変形した状態を維持する剛性を補強する。
【０２０６】
図５、図６、図７Ａ、図７Ｂ及び図７Ｃを参照すると、前述した支持部材２７０は複数の支持部材２７０のいずれかであり、複数の支持部材２７０は互いに重なるように配置される。ここで、支持部材２７０間には１つ又は複数の加圧部材２６０が配置されてもよい。例えば、複数の支持部材２７０は、第１支持部材２７３及び第２支持部材２７４を含んでもよい。
【０２０７】
より具体的な例として、第１支持部材２７３は、フレキシブルディスプレイ部２５１と第１加圧部材２６１との間に配置され、第２支持部材２７４は、第１加圧部材２６１と第２加圧部材２６２との間に配置されてもよい。このような構造においては、第１加圧部材２６１が第１支持部材２７３を押し上げ、第２加圧部材２６２が第２支持部材２７４を押し上げることになる。第１支持部材２７３及び第２支持部材２７４は、それぞれの両辺で背面カバー２０１の第２部分２０１ｂに結合されてもよい。このような構造においては、第１支持部材２７３及び第２支持部材２７４が押し上げられて変形すると、背面カバー２０１も共に変形する。
【０２０８】
携帯電子機器の曲げによる変形量は厚さ方向によって異なるが、前記構造によれば、変形量の差にもかかわらず、特定領域が膨らむように変形させることができる。より具体的には、第１加圧部材２６１及び第２加圧部材２６２が形状変形して第１支持部材２７３及び第２支持部材２７４を加圧すると、第１支持部材２７３は引っ張られて長くなり、第２支持部材２７４は縮んで短くなる。このように柔軟な構造を実現するために、前述したように、支持部材２７０にパターンを穿孔してもよい。また、支持部材２７０は、第１加圧部材２６１及び第２加圧部材２６２が形状変形した後、その変化した形状を維持させる。
【０２０９】
さらに、複数の支持部材２７０のいずれか一方は他方より剛性が低い材質からなるようにしてもよい。例えば、第２支持部材２７４のほうが第１支持部材２７３より剛性が低い材質からなり、これにより特定領域は曲げるとより柔軟に動くようになる。
【０２１０】
他の例として、複数の支持部材２７０のいずれか一方には予め設定されたパターンのスリットが形成され、複数の支持部材２７０の他方には予め設定されたパターンとは異なるパターンのスリットが形成されてもよい。この場合、第１支持部材２７３及び第２支持部材２７４は同じ材質からなるようにしてもよい。例えば、第１支持部材２７３のスリットのほうを第２支持部材２７４のスリットより短くしてもよい。なお、第１支持部材２７３のスリットが形成するパターンを第１貫通パターンといい、第２支持部材２７４のスリットが形成するパターンを第２貫通パターンという。
【０２１１】
ここで、制御部１８０は、少なくとも１つの感知部１４０（図１参照）を用いて、携帯電子機器が前述した状態のいずれの状態であるかを判断する。感知部１４０は、近接センサ、赤外線センサ、磁気センサ、照度センサの少なくとも１つを含み、第１領域又は第２領域に対する特定領域の相対位置を感知するようにしてもよい。感知部１４０が複数のセンサを備えた場合、制御部１８０は、複数のセンサから収集される情報を用いて携帯電子機器の本体の状態を判断する。
【０２１２】
他の例として、感知部１４０は、フレキシブルディスプレイ部１５１の前面や背面などのいずれか一面又は両面に配置されてフレキシブルディスプレイ部１５１の曲がりを感知する曲げセンサを含んでもよい。ここで、曲げセンサとは、それ自体が曲がる程度によって抵抗値が異なる特性を利用して曲がりを感知するセンサをいう。例えば、曲げセンサとしては、光ファイバの変形率を用いる光ファイバ曲げセンサ、電気抵抗を用いる電気抵抗式曲げセンサ、圧力センサ、ひずみゲージ（ストレインゲージ）などがある。感知部１４０は、曲げセンサに印加される電圧の大きさ又は曲げセンサに流れる電流の大きさを用いて曲げセンサの抵抗値を算出し、その算出された抵抗値の大きさに基づいて曲がりが発生した位置や曲がりの程度などを感知する。
【０２１３】
制御部１８０は、感知部１４０を用いて携帯電子機器の状態を判断し、その判断結果に基づいて、フレキシブルディスプレイ部２５１に出力される情報を制御する。また、制御部１８０は、第１加圧部材２６１及び第２加圧部材２６２が形状変形すると、電流供給を中断する。その後、放熱により第１加圧部材２６１及び第２加圧部材２６２の温度が下がり、第１加圧部材２６１及び第２加圧部材２６２には復元力が作用する。放熱を助けるために、熱を放熱する放熱シート２８０を備えてもよい。例えば、加圧部材２６０の一面には支持部材２７０が配置され、加圧部材２６０の他面（前記一面の反対面）には熱を放熱する放熱シート２８０が配置されてもよい。より具体的には、放熱シート２８０は、グラファイト材質からなり、第２加圧部材２６２の下方に配置されて第２加圧部材２６２を覆うようになっている。
【０２１４】
さらに、携帯電子機器には、復元力に打ち勝って特定領域が膨らむように変形した第２状態を維持するために、ロックモジュール２９０が備えられる。ロックモジュール２９０は、加圧部材２６０からの外力が除去されてもフレキシブルディスプレイ部２５１の少なくとも一部が変形した状態を維持するように、形状変形をロックする。
【０２１５】
例えば、第１状態で呼信号が受信されて制御部１８０が携帯電子機器を第２状態に切り替えたが、ユーザが呼接続を行わない場合、不在着信があったことを通知するために、制御部１８０は、第２状態が所定時間維持されるように制御することができる。この場合、制御部１８０が第２状態を維持するために電流を供給し続けると、電力損失をもたらすことになる。これを解決するために、携帯電子機器はロックモジュール２９０を含む。
【０２１６】
図示のように、ロックモジュール２９０は、第１係止孔２９１ａ及び第２係止孔２９１ｂを備える第１ロック部材２９１と、第１係止孔２９１ａ及び第２係止孔２９１ｂに挿入される突出部２９２ａを備える第２ロック部材２９２とを含む。第１ロック部材２９１及び第２ロック部材２９２は、特定領域の両縁部に配置される。他の例として、一対の第１ロック部材２９１及び第２ロック部材２９２が両縁部に対称に配置されてもよい。
【０２１７】
第１係止孔２９１ａ及び第２係止孔２９１ｂは、少なくとも一部が互いに重なるように形成され、これにより、突出部２９２ａが第１係止孔２９１ａ及び第２係止孔２９１ｂのいずれか一方から他方に移動することを制限する鍔部が形成される。より具体的には、第１ロック部材２９１及び第２ロック部材２９２は、第１状態で、突出部２９２ａが第２係止孔２９１ｂに嵌められるように位置する。このとき、突出部２９２ａは、鍔部により、第２係止孔２９１ｂに嵌められた状態で固定される。突出部２９２ａは、第１状態から第２状態に切り替えられる途中で鍔部を乗り越え、切り替えが完了すると第１係止孔２９１ａに完全に移動した状態となる。
【０２１８】
このような移動のために、第１係止孔２９１ａ及び第２係止孔２９１ｂの一側に貫通孔２９３を備え、貫通孔２９３は、第１係止孔２９１ａ及び第２係止孔２９１ｂの一部と重なるようにしてもよい。より具体的には、第１係止孔２９１ａと第２係止孔２９１ｂとが接する地点Ａから第１係止孔２９１ａと貫通孔２９３とが接する地点Ｂまでの距離Ｌ１は、第１係止孔２９１ａと第２係止孔２９１ｂとが接する地点Ａから第２係止孔２９１ｂと貫通孔２９３とが接する地点Ｃまでの距離Ｌ２より小さくなるようにする。このような構造によれば、突出部２９２ａが鍔部を乗り越えて第１状態から第２状態に移動することは容易であるが、鍔部を乗り越えて第２状態から第１状態に移動するには所定レベル以上の力が必要である。
【０２１９】
このようなロックモジュール２９０の構造により、ユーザが特定領域をプッシュしなければ第２状態から第１状態に切り替えられないメカニズムが実現される。すなわち、第２状態で加圧部材２６０への電流供給が中断されても、支持部材２７０がロックモジュール２９０により形状を維持し、ユーザがプッシュすると再び平面に戻る。
【０２２０】
また、突出部２９２ａは、第１係止孔２９１ａ及び第２係止孔２９１ｂより大きい直径を有し、その外周面に形成されて第１係止孔２９１ａ及び第２係止孔２９１ｂに係止される周溝２９２ｂを備える。ここで、貫通孔２９３が第１係止孔２９１ａ及び第２係止孔２９１ｂより大きい直径を有するようにするのは、組み立て時に突出部２９２ａが挿入される空間を設けるためである。
【０２２１】
さらに、携帯電子機器は、フレキシブルディスプレイ部２５１の少なくとも一部が膨らんだ形状に変形した状態でアクティブになり、フレキシブルディスプレイ部２５１へのプッシュ入力を検知するように構成される検知部を含んでもよい。例えば、検知部は、放熱シート２８０の下方に配置され、ドームスイッチや圧電スイッチなどであってもよい。このような構造によれば、ロックモジュール２９０により形状を維持していた支持部材２７０がユーザのプッシュ入力により再び平面に戻ると、放熱シート２８０によりドームスイッチや圧電スイッチなどが加圧されて信号を生成し、制御部１８０が信号を受信してユーザの入力により第１状態に復元されたことを認知する。このとき、不在着信があったことを通知するために第２状態を維持していた場合であれば、制御部１８０は、第１状態への復元に基づいて不在着信を確認済みに切り替えてもよい。
【０２２２】
以上のように、本発明の一実施形態は、フレキシブルディスプレイ部の特定領域が膨らむように変形した後に特定領域にユーザの入力が行われるメカニズムを提示する。他の例として、携帯電子機器は、図５、図６、図７Ａ、図７Ｂ及び図７Ｃを参照して説明した実施形態と同様に、特定領域が膨らんだ形状に変化した場合、特定領域に対して行われる他の形態のユーザの入力を検知することができる。例えば、携帯電子機器は、特定領域をプッシュする方向と垂直な方向に加えられる力を検知できるように構成される。より具体的には、携帯電子機器の検知部は、特定領域をピンチしたりスクイーズする入力を検知することができる。このために、特定領域の両縁部に赤外線センサを取り付け、特定領域をピンチするユーザの入力を検知するようにしてもよい。あるいは、特定領域にスクイーズセンサを取り付け、特定領域をスクイーズするユーザの入力を検知するようにしてもよい。
【０２２３】
以上、電流供給により平坦な形状から膨らんだ形状に変化し、電流供給の中断により放熱すると膨らんだ形状から平坦な形状に復元される加圧部材について説明した。しかし、本発明は、これに限定されるものではなく、他の形態の加圧部材を適用することもできる。その例として、加圧部材は、温度の上昇により平坦な形状から膨らんだ形状に変化し、プッシュ入力により膨らんだ形状から平坦な形状に復元するようにしてもよい。すなわち、加圧部材は、常温でプッシュ入力が行われれば平坦な形状に変形し、熱が加えられて温度が上昇すれば元の形状である膨らんだ形状に変化する形状記憶合金であってもよい。
【０２２４】
以上、特定領域が膨らむように変形した後に再び平坦に復元される動作を行う携帯電子機器のハードウェア的な構成について説明した。しかし、本発明は、これに限定されるものではなく、前述したハードウェア的な構成は様々な形態に変形可能であり、以下にその変形例を説明する。
【０２２５】
図８Ａ及び図８Ｂは図６の支持部材の変形例を示す平面図であり、図９Ａ及び図９Ｂは図５の携帯電子機器の変形例を示す断面図である。
【０２２６】
まず、図８Ａを参照すると、スリット３７２は、携帯電子機器の長手方向に形成され、幅方向に互いに離隔して配置される第１スリット部分３７２ａ及び第２スリット部分３７２ｂと、第１スリット部分３７２ａと第２スリット部分３７２ｂとを連結する連結部分３７２ｃとを含む。この場合、連結部分３７２ｃは、幅方向に形成され、第１スリット部分３７２ａ及び第２スリット部分３７２ｂの各端部に連結される。すなわち、スリット３７２は、中央が凹んだＵ字状に形成される。また、１つの列における一対のスリット３７２は、凹んだ部分が対向するように配置される。この場合、１つの列において一対のスリット３７２が繰り返され、列が幅方向に繰り返されることにより、貫通パターンが形成される。なお、図８Ａに示すスリット３７２が形成するパターンを第３貫通パターンという。
【０２２７】
ただし、本発明は、これに限定されるものではなく、支持部材に形成される貫通パターンとしては、支持部材が柔軟に動けると共に形状を維持できるようにする様々なパターンを適用することができる。
【０２２８】
支持部材には、第１〜第３貫通パターンの少なくとも１つを含む２つ以上の貫通パターンが形成されてもよい。例えば、フレキシブルディスプレイ部を一方向ではなく様々な方向に曲げられるようにして様々な形状を実現するために、支持部材に２つ以上のマルチパターンを適用することができる。図８Ｂを参照すると、支持部材３７０は、支持部材３７０の対角線方向に配置される第４貫通パターン３７３と、第１貫通パターンとを含む。第４貫通パターン３７３は、支持部材３７０の角部から中央部に行くほどその大きさが次第に大きくなるようにしてもよい。
【０２２９】
図８Ａ及び図８Ｂを参照して説明した支持部材は、図５、図６、図７Ａ、図７Ｂ及び図７Ｃを参照して説明した第１支持部材２７３及び第２支持部材２７４の少なくとも一方で代替することができるが、その構造についての説明は重複を避けるために省略する。
【０２３０】
図９Ａ及び図９Ｂを参照すると、支持部材と加圧部材の積層構造は様々な形態に変形可能である。まず、複数の支持部材２７０間に加圧部材２６０が配置されてもよい。例えば、図９Ａに示すように、複数の支持部材２７０は、第１支持部材２７３及び第２支持部材２７４を含み、加圧部材２６０は、第１支持部材２７３と第２支持部材２７４との間に配置されてもよい。
【０２３１】
より具体的には、フレキシブルディスプレイ部２５１の下方に第１支持部材２７３が配置され、第１支持部材２７３の下方に加圧部材２６０が配置され、加圧部材２６０の下方に第２支持部材２７４が配置され、第２支持部材２７４の下方に放熱シート２８０及び背面カバー２０１が順次配置されてもよい。
【０２３２】
第１支持部材２７３及び第２支持部材２７４は、それぞれ、金属製の本体に前述した第１〜第４貫通パターンとマルチパターンのいずれかが形成されたものであってもよい。この場合、加圧部材２６０は、第１支持部材２７３を押し上げるが、第２支持部材２７４を直接加圧することはない。第２支持部材２７４を加圧するために、第２支持部材２７４を加圧部材２６０に接着してもよく、第２支持部材２７４の両端部の少なくとも一方を加圧部材２６０の両端部の少なくとも一方に結合してもよい。
【０２３３】
次に、図９Ｂを参照すると、フレキシブルディスプレイ部２５１は、特定領域２３０（図５参照）が平面である第１状態から、特定領域２３０が凹む第２状態に切り替えられるように構成される。すなわち、第２状態は、特定領域２３０が携帯電子機器の前面を基準として凹状に凹んだ状態である。
【０２３４】
同図を参照すると、携帯電子機器の本体は、前面、背面及び側面を備え、前面にフレキシブルディスプレイ部２５１が配置され、背面にケースが配置される。ケースは、本体の背面を形成する背面カバー２０１であってもよい。本例示においては、背面カバー２０１にフレキシブルディスプレイ部２５１が装着され、背面カバー２０１は外力により変形するようにフレキシブルに形成される。
【０２３５】
フレキシブルディスプレイ部２５１は、例えばプラスチックＯＬＥＤディスプレイやマイクロＬＥＤディスプレイなどのようにフレキシブルなディスプレイ素子を含んでもよい。また、ディスプレイ素子は、ウィンドウにより覆われてもよい。例えば、ウィンドウは、光透過性かつ柔軟性を有する素材、例えばポリエチレンテレフタレート（ＰＥＴ）フィルムや薄いガラスなどで形成される。また、フレキシブルディスプレイ部２５１は、ウィンドウへのタッチ入力を感知するタッチセンサを備えてもよい。タッチセンサは、別途備えられてウィンドウの背面に取り付けられてもよく、ディスプレイ素子と一体に構成されてもよい。この場合、フレキシブルディスプレイ部２５１は、フレキシブルタッチスクリーンとして動作する。
【０２３６】
また、フレキシブルディスプレイ部２５１の背面には、フレキシブルディスプレイ部２５１の少なくとも一部を加圧するように形成される加圧部材２６１が配置される。加圧部材２６１は、フレキシブルディスプレイ部２５１により覆われるように配置され、温度変化によって形状が変化するように構成される。
【０２３７】
より具体的には、加圧部材２６１は、特定温度で元の形状に復元する形状記憶合金材質からなる。例えば、加圧部材２６１は、電流供給により第１温度から第２温度に変化すると、平坦な形状から凹んだ形状に変化する。また、加圧部材２６１は、放熱により第２温度から第１温度に変化すると、凹んだ形状から平坦な形状に変化する。さらに、加圧部材２６１は、フレキシブルディスプレイ部２５１の下方に配置され、凹んだ形状に変化することによりフレキシブルディスプレイ部２５１の特定領域２３０を加圧する。
【０２３８】
図示のように、加圧部材２６１の下方には支持部材２７３が配置されてもよい。このような構造においては、加圧部材２６１が支持部材２７３を押し下げることになる。支持部材２７３は、加圧部材２６１からの外力によりフレキシブルディスプレイ部２５１の少なくとも一部と共に変形する。
【０２３９】
支持部材２７３は、図５、図６、図７Ａ、図７Ｂ及び図７Ｃを参照して説明した支持部材２７０と同様に、金属板状の本体の一面に複数のスリットが形成されたものであってもよい。複数のスリットは、前述した第１〜第４貫通パターンとマルチパターンのいずれかを形成するものであってもよい。
【０２４０】
図示のように、加圧部材２６１及び支持部材２７３に加え、さらなる加圧部材及び支持部材が備えられてもよい。この場合、加圧部材２６１は、複数の加圧部材の１つであって、第１加圧部材２６１という。また、支持部材２７３は、複数の支持部材の１つであって、第１支持部材２７３という。
【０２４１】
より具体的な例として、第１支持部材２７３は、第１加圧部材２６１と第２加圧部材２６２との間に配置され、第２支持部材３７４は、第２加圧部材２６２の下方に配置されてもよい。このような構造においては、第１加圧部材２６１が第１支持部材２７３を押し下げ、第２加圧部材２６２が第２支持部材２７４を押し下げることになる。
【０２４２】
さらに、制御部１８０は、第１加圧部材２６１を制御するように第１加圧部材２６１に電気的に接続され、第２加圧部材２６２を制御するように第２加圧部材２６２に電気的に接続される。より具体的には、制御部１８０は第１加圧部材２６１及び第２加圧部材２６２に供給される電流を制御し、第１加圧部材２６１及び第２加圧部材２６２に電流が供給されるか否かによって第１加圧部材２６１及び第２加圧部材２６２の温度が変化する。
【０２４３】
一例として、第１加圧部材２６１及び第２加圧部材２６２は、同じ種類の形状記憶合金からなるようにしてもよい。この場合、制御部１８０は、第１加圧部材２６１及び第２加圧部材２６２に供給される電流量を調整することにより、第１加圧部材２６１及び第２加圧部材２６２の変形の程度を制御することができる。他の例として、第１加圧部材２６１及び第２加圧部材２６２は、同じ種類の形状記憶合金からなるが異なる厚さで形成されてもよく、異なる種類の形状記憶合金からなるようにしてもよい。
【０２４４】
また、複数の支持部材２７０のいずれか一方は他方より剛性が低い材質からなるようにしてもよい。例えば、第１支持部材２７３のほうが第２支持部材２７４より剛性が低い材質からなり、これにより特定領域は凹むように曲げるとより柔軟に動くようになる。
【０２４５】
他の例として、複数の支持部材２７０のいずれか一方には予め設定されたパターンのスリットが形成され、複数の支持部材２７０の他方には予め設定されたパターンとは異なるパターンのスリットが形成されてもよい。この場合、第１支持部材２７３及び第２支持部材２７４は同じ材質からなるようにしてもよい。例えば、本例示のように、第１支持部材２７３のスリットのほうを第２支持部材２７４のスリットより長くしてもよい。
【０２４６】
制御部１８０は、第１加圧部材２６１及び第２加圧部材２６２が形状変形すると、電流供給を中断する。その後、放熱により第１加圧部材２６１及び第２加圧部材２６２の温度が下がり、第１加圧部材２６１及び第２加圧部材２６２には復元力が作用する。放熱を助けるために、熱を放熱する放熱シート２８０を備えてもよい。
【０２４７】
さらに、携帯電子機器には、復元力に打ち勝って特定領域が凹むように変形した第２状態を維持するために、ロックモジュールが備えられてもよい。ロックモジュールには、図５、図６、図７Ａ、図７Ｂ及び図７Ｃを参照して説明したロックモジュールの構造を適用することができ、これについての説明は省略する。
【０２４８】
このような構造によれば、フレキシブルディスプレイ部の特定領域が凹んだ形状に変形するメカニズムが実現される。前述したように特定領域が膨らんだ形状又は凹んだ形状に変形するメカニズムにおいて、加圧部材を他の形態で実現してもよい。以下、図１０及び図１１を参照して、他の形態で実現される加圧部材の一例について説明する。
【０２４９】
図１０は本発明の他の実施形態による携帯電子機器の分解斜視図であり、図１１は図１０の携帯電子機器のＣ−Ｃ線断面図である。図１０及び図１１に示すように、本発明の他の実施形態による携帯電子機器は、フレキシブルディスプレイ部４５１、加圧部材４６０、制御部１８０（図１参照）、支持部材４７０及び背面カバー４０１を備える。また、携帯電子機器は、放熱シート４８０をさらに備える。ここで、加圧部材４６０を除く残りの構造や機能については、図５、図６、図７Ａ、図７Ｂ及び図７Ｃを参照して説明したフレキシブルディスプレイ部、制御部、支持部材及び背面カバーと同様であるのでその説明を省略する。
【０２５０】
複数の支持部材間には単一の加圧部材が配置される。例えば、図１０及び図１１に示すように、複数の支持部材４７０は、第１支持部材４７３及び第２支持部材４７４を含み、加圧部材４６０は、第１支持部材４７３と第２支持部材４７４との間に配置される。
【０２５１】
より具体的には、フレキシブルディスプレイ部４５１の下方に第１支持部材４７３が配置され、第１支持部材４７３の下方に加圧部材４６０が配置され、加圧部材４６０の下方に第２支持部材４７４が配置され、第２支持部材４７４の下方に放熱シート４８０及び背面カバー４０１が順次配置される。
【０２５２】
第１支持部材４７３及び第２支持部材４７４は、それぞれ、金属製の本体に前述した第１〜第４貫通パターンとマルチパターンのいずれかが形成されたものであってもよい。この場合、加圧部材４６０は、第１支持部材４７３を押し上げるが、第２支持部材４７４を直接加圧することはない。第２支持部材４７４を加圧するために、第２支持部材４７４を加圧部材４６０に接着してもよく、第２支持部材４７４の両端部の少なくとも一方を加圧部材４６０の両端部の少なくとも一方に結合してもよい。
【０２５３】
加圧部材４６０は、特定温度で一方向に曲がることにより膨らんだ形状を実現するように構成される。より具体的には、加圧部材４６０は、加熱により曲がるように、第１レイヤ４６１と、第１レイヤ４６１とは熱膨張係数が異なる材質からなり、第１レイヤ４６１と積層される第２レイヤ４６２とを含んでもよい。例えば、加圧部材４６０は、金属板材からなるバイメタルで構成されてもよい。
【０２５４】
一例として、加圧部材４６０は、電流供給により第１温度から第２温度に変化すると平坦な形状から膨らんだ形状に変化するように、第２レイヤ４６２の熱膨張係数のほうを第１レイヤ４６１の熱膨張係数より低くしてもよい。この場合、第１レイヤ４６１と第２レイヤ４６２との熱膨張係数の差によって膨らんだ形状の高さ及び幅が決定される。すなわち、熱膨張係数の差を利用して曲がる程度を設定することができる。
【０２５５】
例えば、第１レイヤ４６１は、熱膨張しやすくするために、ニッケル、マンガン及び鉄の合金、ニッケル、マンガン及び銅の合金、又はニッケル、モリブデン及び鉄の合金からなり、第２レイヤ４６２は、熱膨張しにくくするために、ニッケル及び鉄の合金からなるようにしてもよい。
【０２５６】
例えば、加圧部材４６０は、電流供給により第１温度から第２温度に変化すると、第１レイヤ４６１と第２レイヤ４６２との熱膨張係数の差により平坦な形状から膨らんだ形状に変化するように構成される。また、加圧部材４６０は、放熱により第２温度から第１温度に変化すると、膨らんだ形状から平坦な形状に変化するように構成される。すなわち、加圧部材４６０は、バイメタルの熱膨張係数の差により、第１温度では平坦な形状となり、第２温度では膨らんだ形状となる。
【０２５７】
他の例として、加圧部材４６０は、電流供給により第１温度から第２温度に変化すると平坦な形状から凹んだ形状に変化するように、第２レイヤ４６２の熱膨張係数のほうを第１レイヤ４６１の熱膨張係数より高くしてもよい。この場合、第１レイヤ４６１と第２レイヤ４６２との熱膨張係数の差によって凹んだ形状の高さ及び幅が決定される。
【０２５８】
以上、加圧部材をバイメタルで構成してフレキシブルディスプレイ部を加圧する方法及び構造について説明した。また、本発明においては、フレキシブルディスプレイ部の全領域が変形するメカニズムを提示する。以下、図１２及び図１３を参照して、フレキシブルディスプレイ部の全領域が変形するメカニズムについて説明する。
【０２５９】
図１２は本発明のさらに他の実施形態による携帯電子機器の分解斜視図であり、図１３は図１２のＤ部分の拡大図である。図１２及び図１３に示すように、支持部材５７０は、特定領域に配置されるのではなく、フレキシブルディスプレイ部５５１の全領域を覆うように配置される。よって、フレキシブルディスプレイ部の全領域のうち予め設定された部分が膨らむように形状変形する。これを実現するために、加圧部材は、フレキシブルディスプレイ部と平行な方向に互いに離隔して配置され、制御部により個別に制御される複数の形状記憶合金部材を含む。
【０２６０】
より具体的には、フレキシブルディスプレイ部の下方には第１支持部材が配置される。第１支持部材は、フレキシブルディスプレイ部の背面全体を覆う金属製の本体に前述した第１〜第４貫通パターンとマルチパターンのいずれかが形成されたものであってもよい。第１支持部材の下方には第１加圧部材が配置される。第１加圧部材は、特定温度で元の形状に復元する形状記憶合金材質からなる。また、第１加圧部材は、フレキシブルディスプレイ部と平行な方向に互いに離隔して配置される複数の形状記憶合金部材を含む。
【０２６１】
複数の形状記憶合金部材の少なくとも一部は、電流供給により第１温度から第２温度に変化すると、平坦な形状から膨らんだ形状に変化するようになっている。また、複数の形状記憶合金部材の他の一部は、電流供給により第１温度から第２温度に変化すると、平坦な形状から凹んだ形状に変化するようになっている。ただし、本発明はこれに限定されるものではなく、第１加圧部材の形状記憶合金部材の全てが平坦な形状から膨らんだ形状に変化するようになっていてもよい。また、形状記憶合金部材は、放熱により第２温度から第１温度に変化すると平坦な形状に復元するようになっている。
【０２６２】
図５、図６、図７Ａ、図７Ｂ及び図７Ｃを参照して説明した実施形態と同様に、第１加圧部材の下方に第２支持部材が配置され、第２支持部材の下方に第２加圧部材、放熱シート及び背面カバーが順次配置されてもよい。第２支持部材は、第１支持部材に対応する大きさの本体に前述した第１〜第４貫通パターンとマルチパターンのいずれかが形成されたものであってもよい。
【０２６３】
図１２を参照すると、放熱シートの下方にバッテリ５９５が配置され、バッテリ５９５の下方にプリント基板５８１が配置される。バッテリ５９５は、フレキシブルディスプレイ部５５１と積層され、外力によりフレキシブルディスプレイ部５５１と共に変形するように構成される。バッテリ５９５を実現するために、バッテリセルを上に積層したスタックフォールディング方式を適用することができる。また、バッテリ５９５の一面には、柔軟な形状を実現するためのスリット５９６が配置されてもよい。
【０２６４】
また、プリント基板５８１は、フレキシブルディスプレイ部５５１と共に曲げたり折り畳んだりすることができるようにフレキシブルプリント基板で構成され、プリント基板５８１の一面には、柔軟な形状を実現するためのスリット５８４が配置されてもよい。プリント基板５８１に形成されるスリット５８４は、携帯電子機器の長手方向又は幅方向に延びる形状に形成され、バッテリ５９５に形成されるスリット５９６に対向するように配置されてもよい。さらに、プリント基板５８１には各種素子が装着されるが、そのうちＡＰ（Application Processor）チップやメモリはプリント基板５８１の縁部に配置される。
【０２６５】
さらに、プリント基板５８１とバッテリ５９５とは接触パッド５８５により電気的に接続されてもよい。接触パッド５８５は、信号領域と非信号領域が繰り返される形態のパッドであり、例えばゼブラコンタクトパッド（Zebra Contact Pad）などがある。前述した構造によれば、フレキシブルディスプレイ部の全領域で膨らむように形状変形することが可能になる。また、本発明においては、携帯電子機器を立てられるメカニズムを提示する。以下、図１４及び図１５を参照して、携帯電子機器を立てられるメカニズムについて説明する。
【０２６６】
図１４は本発明のさらに他の実施形態による携帯電子機器の分解図であり、図１５は図１４の携帯電子機器の制御方法を示す概念図である。図１５の（ａ）を参照すると、本発明のさらに他の実施形態による携帯電子機器は、第１領域６１０又は第２領域６２０が特定領域６３０を中心に回動するように構成される。すなわち、フレキシブルディスプレイ部において、第１領域６１０又は第２領域６２０は特定領域６３０を軸として回動させて曲げることができる。
【０２６７】
この場合、第１領域６１０及び第２領域６２０のいずれか一方は床面に支持され、他方は特定領域６３０を中心に曲げられて立てられる（以下、第３状態という）。より具体的な例として、第１領域６１０は、平面を維持して床面と平行な状態で当該床面に載置され、第２領域６２０は、平面を維持して立てられて視覚情報を外部に出力するようにしてもよい。第３状態では、呼信号を受信して通話を行ったり、バッテリを充電したりすることができる。バッテリを充電する場合、第１領域６１０及び第２領域６２０のいずれか一方を充電器の充電面に載置する。ただし、本発明はこれに限定されるものではなく、第１領域６１０及び第２領域６２０のいずれか一方は床面又は充電面に載置されていない状態で平面を維持することができる。すなわち、携帯電子機器が床面又は充電面に載置されていない状態で、第１領域６１０及び第２領域６２０のいずれか一方と他方が交差して他方が立てられたような形状が可能である。
【０２６８】
また、特定領域６３０は、曲がる領域であって、携帯電子機器の本体の全領域のうち所定の領域に予め設定される。よって、ユーザは予め設定された特定領域６３０を軸として携帯電子機器の本体を曲げることができる。
【０２６９】
図１５の（ｂ）を参照すると、携帯電子機器は、第３状態から、特定領域６３０がさらに曲がるように変形させることができる。特定領域６３０がさらに曲がるように変形することにより、床面に支持される領域がさらに大きくなり、従って、携帯電子機器がさらに安定して支持される。
【０２７０】
図１４は第１領域６１０が床面に載置される場合を例示する。この場合、特定領域６３０には加圧部材６６０、支持部材及び放熱シートが備えられ、図３Ｂ、図３Ｃ、図３Ｄを参照して説明した様々な形状変形を実現することができる。また、第１領域６１０にはバッテリ６９５が配置され、第２領域６２０にはプリント基板６８１、スピーカ、マイク及びカメラなどが配置されてもよい。第１領域６１０に相対的に重いバッテリ６９５が配置されることにより、さらに安定した姿勢の固定が可能になる。
【０２７１】
また、本発明においては、特定領域が曲がる程度を様々に設定できるメカニズムを提示する。以下、図１６及び図１７を参照して、特定領域が曲がる程度を様々に設定できるメカニズムについて説明する。
【０２７２】
図１６は本発明のさらに他の実施形態による携帯電子機器の断面図であり、図１７は図１６の携帯電子機器の様々な動作を示す概念図である。
【０２７３】
図１７を参照すると、特定領域７３０は、曲げられる領域であり、複数の地点を中心に曲げられる。図１７の（ａ）に示すように、特定領域７３０を複数の地点で曲げられるようになっているので、第２領域７２０の高さを様々に設定することができる。また、図１７の（ｂ）に示すように、特定領域７３０を完全に折り曲げて折り畳むこともできる。さらに、図１７の（ｃ）に示すように、特定領域７３０の両側で曲がる地点がずれるようにすることもできる。この場合、第２領域７２０を立てた後、左右に傾けることができる。
【０２７４】
前述した様々な動作はロックモジュール７９０により実現することができる。図１６を参照すると、ロックモジュール７９０は、同じ形状のものが繰り返し結合されるヒンジ構造であり、カバーの内側に配置されて支持部材の柔軟な形状変形をサポートする機能を果たす。また、ロックモジュール７９０は、複数のロック部７９０ａ、７９０ｂを含み、複数のロック部７９０ａ、７９０ｂは、携帯電子機器の長手方向に繰り返し配置される。
【０２７５】
複数のロック部７９０ａ、７９０ｂのそれぞれは、第１係止孔７９１ａ及び第２係止孔７９１ｂを備える第１ロック部材７９１と、第１係止孔７９１ａ及び第２係止孔７９１ｂに挿入される突出部７９２ａを備える第２ロック部材７９２とを含む。第１ロック部材７９１及び第２ロック部材７９２は、特定領域の両縁部に対称に配置されてもよい。
【０２７６】
第１係止孔７９１ａ及び第２係止孔７９１ｂは、少なくとも一部が互いに重なるように形成され、これにより、突出部７９２ａが第１係止孔７９１ａ及び第２係止孔７９１ｂのいずれか一方から他方に移動することを制限する鍔部が形成される。より具体的には、第１ロック部材７９１及び第２ロック部材７９２は、特定領域が平面をなす状態で、突出部７９２ａが第２係止孔７９１ｂに嵌められるように位置する。このとき、突出部７９２ａは、鍔部により、第２係止孔７９１ｂに嵌められた状態で固定される。この場合、突出部７９２ａは、第１係止孔７９１ａに完全に移動するためには、鍔部を乗り越えなければならない。
【０２７７】
このような移動のために、第１係止孔７９１ａ及び第２係止孔７９１ｂの一側に貫通孔７９３を備え、貫通孔７９３は、第１係止孔７９１ａ及び第２係止孔７９１ｂの一部と重なるようにしてもよい。より具体的には、第１係止孔７９１ａと第２係止孔７９１ｂとが接する地点から第１係止孔７９１ａと貫通孔７９３とが接する地点までの距離は、第１係止孔７９１ａと第２係止孔７９１ｂとが接する地点から第２係止孔７９１ｂと貫通孔７９３とが接する地点までの距離より小さくなるようにする（図７Ｃ参照）。このような構造によれば、平面から曲面に変わるときは突出部７９２ａが鍔部を乗り越えることが容易であるが、曲面から平面に移動するには所定レベル以上の力が必要である。
【０２７８】
また、突出部７９２ａは、第１係止孔７９１ａ及び第２係止孔７９１ｂより大きい直径を有し、その外周面に形成されて第１係止孔７９１ａ及び第２係止孔７９１ｂに係止される周溝７９２ｂを備える。ここで、貫通孔７９３が第１係止孔７９１ａ及び第２係止孔７９１ｂより大きい直径を有するようにするのは、組み立て時に突出部７９２ａが挿入される空間を設けるためである。
【０２７９】
ロック部７９０ａ、７９０ｂにおいて突出部７９２ａが第１係止孔７９１ａに位置するとロック状態となり、複数のロック部７９０ａ、７９０ｂは順次ロック状態となる。このような構造により、図１６及び図１７を参照して説明した様々な動作が可能になる。
【０２８０】
より具体的には、複数のロック部７９０ａ、７９０ｂのいずれか（又は一部）は突出部７９２ａが第１係止孔７９１ａに位置してロック状態となり、特定領域はいずれかを中心に曲がりを維持する。ユーザが第２領域７２０を押圧すると、複数のロック部７９０ａ、７９０ｂのいずれかは突出部７９２ａが第２係止孔７９１ｂに移動してロック状態が解除され、いずれかに隣接するロック部がロック状態となる。こうして複数のロック部７９０ａ、７９０ｂが順次ロック状態となることにより、曲がる部分が変わるメカニズムが実現される。
【０２８１】
前述した本発明は、プログラム記録媒体にコンピュータ可読コードで実現することができる。コンピュータ可読媒体は、コンピュータシステムにより読み取り可能なデータが記録されるあらゆる種類の記録装置を含む。コンピュータ可読媒体は、ＨＤＤ、ＳＳＤ、ＳＤＤ、ＲＯＭ、ＲＡＭ、ＣＤ−ＲＯＭ、磁気テープ、フロッピーディスク、光データ記憶装置などを含み、かつ搬送波（例えば、インターネットによる送信）状に実現されるものも含む。
【０２８２】
また、コンピュータは、携帯電子機器の制御部１８０を含んでもよい。よって、本発明の詳細な説明は例示的なものであり、あらゆる面で制限的に解釈されてはならない。本発明の範囲は添付の特許請求の範囲の合理的解釈により定められるべきであり、本発明の等価的範囲内での全ての変更が本発明の範囲に含まれる。
【符号の説明】
【０２８３】
１００    携帯電子機器
１８０    制御部
１５１、２５１、４５１、５５１    フレキシブルディスプレイ部
２６０、４６０、６６０    加圧部材
２６１    第１加圧部材
２６１ａ、２６１ｂ    形状記憶合金部材
２６２    第２加圧部材
２７０、４７０、５７０    支持部材
２７１    金属板状の本体
２７２    スリット
２７３、４７３    第１支持部材
２７４、４７４    第２支持部材
２８０、４８０    放熱シート
２９０、７９０    ロックモジュール
２９１、７９１    第１ロック部材
２９１ａ、７９１ａ    第１係止孔
２９１ｂ、７９１ｂ    第２係止孔
２９２、７９２    第２ロック部材
２９２ａ、７９２ａ    突出部
２９３、７９３    貫通孔
４６１    第１レイヤ
４６２    第２レイヤ
【図１】
0006479546.tif 000002
【図２Ａ】
0006479546.tif 000003
【図２Ｂ】
0006479546.tif 000004
【図３Ａ】
0006479546.tif 000005
【図３Ｂ】
0006479546.tif 000006
【図３Ｃ】
0006479546.tif 000007
【図３Ｄ】
0006479546.tif 000008
【図３Ｅ】
0006479546.tif 000009
【図４】
0006479546.tif 000010
【図５】
0006479546.tif 000011
【図６】
0006479546.tif 000012
【図７Ａ】
0006479546.tif 000013
【図７Ｂ】
0006479546.tif 000014
【図７Ｃ】
0006479546.tif 000015
【図８Ａ】
0006479546.tif 000016
【図８Ｂ】
0006479546.tif 000017
【図９Ａ】
0006479546.tif 000018
【図９Ｂ】
0006479546.tif 000019
【図１０】
0006479546.tif 000020
【図１１】
0006479546.tif 000021
【図１２】
0006479546.tif 000022
【図１３】
0006479546.tif 000023
【図１４】
0006479546.tif 000024
【図１５】
0006479546.tif 000025
【図１６】
0006479546.tif 000026
【図１７】
0006479546.tif 000027